(57)【特許請求の範囲】
【請求項１】
遊技機と、該遊技機において遊技を行う遊技者の利用に供される携帯端末装置とを備える遊技システムであって、
前記遊技機は、
通常状態よりも遊技者にとって有利な有利状態に制御するか否かを決定する有利決定手段と、
前記有利決定手段の決定結果を特定可能な特定情報を出力する手段であって、所定の出力期間において複数の特定情報を出力する特定情報出力手段とを備え、
前記携帯端末装置は、
前記特定情報出力手段により出力された特定情報を取得する特定情報取得手段と、
前記特定情報取得手段により取得された特定情報に基づいて、前記有利決定手段の決定結果を報知または示唆する所定の報知演出を実行する報知演出実行手段とを備え、
前記報知演出実行手段は、前記特定情報取得手段により取得された特定情報の数が多くなるほど、実行される報知演出により前記有利状態に制御する旨が決定されているか否かが示される情報の正確性が高くなるように、該報知演出を実行する
ことを特徴とする遊技システム。
【請求項２】
遊技機において遊技を行う遊技者の利用に供される携帯端末装置であって、
前記遊技機において通常状態よりも遊技者にとって有利な有利状態に制御するか否かを決定した決定結果を特定可能な情報として該遊技機から出力された複数の特定情報を取得する特定情報取得手段と、
前記特定情報取得手段により取得された特定情報に基づいて、前記有利状態に制御するか否かの決定結果を報知または示唆する所定の報知演出を実行する報知演出実行手段とを備え、
前記報知演出実行手段は、
前記特定情報取得手段により取得された特定情報に基づいて、前記遊技機において前記有利状態に制御する旨が決定されているか否かを特定する有利特定手段と、
複数種類の報知情報のうちから何れかの種類の報知情報を、前記有利特定手段により前記有利状態に制御する旨が決定されていると特定されたか否かと、前記特定情報取得手段により取得された特定情報の数とに応じて異なる割合で選択する報知情報選択手段とを備え、
前記報知情報選択手段により選択された報知情報に従って、前記特定情報取得手段により取得された特定情報の数が多くなるほど、実行される報知演出により前記有利状態に制御する旨が決定されているか否かが示される情報の正確性が高くなるように、該報知演出を実行する
ことを特徴とする携帯端末装置。
【請求項３】
遊技機において遊技を行う遊技者の利用に供される携帯端末装置に接続されるサーバ装置であって、
前記遊技機において通常状態よりも遊技者にとって有利な有利状態に制御するか否かを決定した決定結果を特定可能な情報として該遊技機から出力され、前記携帯端末装置により取得された複数の特定情報を該携帯端末装置から受信する特定情報受信手段と、
前記特定情報受信手段により受信された特定情報に基づいて、前記遊技機において前記有利状態に制御する旨が決定されているか否かを特定する有利特定手段と、
複数種類の報知情報のうちから何れかの種類の報知情報を、前記遊技機において前記有利状態に制御する旨が決定されていると特定されたか否かと、前記特定情報受信手段により受信された特定情報の数とに応じて異なる割合で選択する報知情報選択手段と、
前記報知情報選択手段により選択された報知情報を、前記特定情報の送信元の携帯端末装置に送信する報知情報送信手段とを備え、
前記特定情報受信手段により受信された特定情報の数が多くなるほど、実行される報知演出により前記有利状態に制御する旨が決定されているか否かが示される情報の正確性が高くなるように、前記携帯端末装置において報知演出を実行させる
ことを特徴とするサーバ装置。
【請求項４】
遊技機において遊技を行う遊技者の利用に供される携帯端末装置に、該遊技機において通常状態よりも遊技者にとって有利な有利状態に制御するか否かを決定した決定結果を報知または示唆する所定の報知演出を該携帯端末装置に実行させるためのプログラムであって、
前記有利状態に制御するか否かを決定した決定結果を特定可能な情報として該遊技機から出力され、前記携帯端末装置により取得された複数の特定情報に基づいて、前記遊技機において前記有利状態に制御する旨が決定されているか否かを特定するステップと、
複数種類の報知情報のうちから何れかの種類の報知情報を、前記遊技機において前記有利状態に制御する旨が決定されていると特定されたか否かと、前記携帯端末装置により取得された特定情報の数とに応じて異なる割合で選択するステップと、
前記選択された報知情報に従って、前記携帯端末装置により取得された特定情報の数が多くなるほど、実行される報知演出により前記有利状態に制御する旨が決定されているか否かが示される情報の正確性が高くなるように、該報知演出を前記携帯端末装置に実行させるためのステップと
を実行させることを特徴とするプログラム。
【発明の詳細な説明】
【技術分野】
【０００１】
本発明は、パチンコ遊技機やスロットマシンなどの遊技機と、該遊技機において遊技を行い得る遊技者の利用に供する携帯端末装置を少なくとも備える遊技システム等に関する。
【背景技術】
【０００２】
パチンコ遊技機は、遊技領域に打ち出された遊技球が始動入賞口に入賞したことを契機として大当たり抽選を行っており、該抽選に当選することで大当たり遊技状態に制御される。また、大当たりの種類として通常大当たりと、これより有利な確率変動大当たりとがあり、確率変動大当たりとなったときには、大当たり遊技状態が終了した後の遊技状態が、次の大当たり抽選確率が通常よりも高くなる確率変動状態に制御される。このような大当たりの発生は、液晶表示器などの表示装置において変動表示される複数の図柄を同一種類の図柄で揃えて停止させることで示すものが多い。
【０００３】
また、スロットマシンは、遊技者がスタートレバーを操作することによりリールが回転開始し、遊技者が各リールに対応して設けられた停止ボタンを操作することによりリールの回転を停止し、全てのリールの回転を停止したときに導出された表示態様に従って入賞が発生する。その入賞には、ボーナスなどの遊技者にとって有利な遊技状態への移行を伴うものもある。
【０００４】
パチンコ遊技機において大当たりとするか否かは、特図ゲームが開始された時点において既に決定されているが、普通、図柄の変動表示の最終的な表示結果が導出されるまで遊技者には分からない。このような大当たりの決定の他に、パチンコ遊技機において遊技者にとって有利な遊技状態とすることが決定されている（既に制御されている場合を含む）か否かの内部状態が分からないものとしては、確率変動状態に制御されているか否かが分からない確変潜伏状態などもある。
【０００５】
また、スロットマシンにおいてボーナス入賞を発生させるためには、その前提として、スタートレバー操作時に行われる内部抽選に当選してボーナス当選フラグが設定されていなければならない。もっとも、ボーナス当選フラグが設定されているかどうかは、いわゆるリーチ目の導出などにより確定的な報知が行われるまで、遊技者にとっては分からない。このようなボーナス抽選の他に、スロットマシンにおいて遊技者にとって有利な遊技状態とすることが決定されている（既に制御されている場合を含む）か否かの内部状態が分からないものとしては、有利ＲＴや不利ＲＴの移行役や、有利ＲＴのパンク役の当選を報知するＡＴの権利の決定などもある。
【０００６】
このような遊技者にとって有利な遊技状態が決定されている（既に制御されている場合を含む）か否かの内部状態が分からないものの遊技者への報知として、それを遊技機が備える演出装置における報知ではなく、遊技機が備える画像表示装置に２次元コードを表示し、これを撮影した携帯電話機からサーバ装置にアクセスすると、携帯電話機の画面において確率変動状態に制御されているか否かが報知される遊技システムがあった（例えば、特許文献１参照）。
【先行技術文献】
【特許文献】
【０００７】
【特許文献１】特開２００７−４４０７２号公報（図７、図９、図１０等）
【発明の概要】
【発明が解決しようとする課題】
【０００８】
しかしながら、特許文献１の遊技システムでは、遊技機が備える画像表示装置への２次元コードの表示は、１回・１個だけであり、これを携帯電話機で撮影する作業が単調なものであった。また、サーバ装置にアクセスして撮影した２次元コードを送った後にサーバ装置から得られる情報も、確率変動状態に制御されているか否かといったような比較的単純なもので面白みがなかった。
【０００９】
本発明は、遊技機と、該遊技機において遊技を行い得る遊技者の利用に供される携帯端末装置とを備える遊技システムにおいて、遊技機から出力された特定情報の携帯端末装置での取得を面白みのあるものとするとともに、該取得した特定情報に基づいて携帯端末装置において実行される報知演出も面白みのあるものとすることを目的とする。
【課題を解決するための手段】
【００１０】
上記目的を達成するため、本発明の第１の観点にかかる遊技システムは、
遊技機（パチンコ遊技機１）と、該遊技機において遊技を行う遊技者の利用に供される携帯端末装置（携帯電話機３００）とを備える遊技システムであって、
前記遊技機は、
通常状態よりも遊技者にとって有利な有利状態（大当たり遊技状態）に制御するか否かを決定する有利決定手段（ＣＰＵ５６（大当たり抽選、大当たり種別抽選））と、
前記有利決定手段の決定結果を特定可能な特定情報を出力する手段であって、所定の出力期間において複数の特定情報（マーカー）を出力する特定情報出力手段（表示制御基板８０の表示制御用ＣＰＵ、可変表示装置９）とを備え、
前記携帯端末装置は、
前記特定情報出力手段により出力された特定情報を取得する特定情報取得手段（撮影装置３０７）と、
前記特定情報取得手段により取得された特定情報に基づいて、前記有利決定手段の決定結果を報知または示唆する所定の報知演出（撮影予告）を実行する報知演出実行手段（ＣＰＵ３０１、表示装置３０６）とを備え、
前記報知演出実行手段は、前記特定情報取得手段により取得された特定情報の数が多くなるほど、実行される報知演出により前記有利状態に制御する旨が決定されているか否かが示される情報の正確性が高くなるように、該報知演出を実行する（図９）
ことを特徴とする。
【００１１】
上記遊技システムでは、遊技機において有利状態に制御するか否かの決定がされると、この決定結果を特定可能な複数の特定情報が所定の出力期間において出力される。遊技者は、自己が利用する携帯端末装置に遊技機から出力された特定情報を取得させると、該携帯端末装置により取得した特定情報に基づいて、遊技機において有利状態に制御するか否かの決定結果を報知または示唆する所定の報知演出が携帯端末装置において実行されるものとなる。ここで実行される報知演出は、遊技機から出力された複数の特定情報のうちで取得された特定情報の数が多くなるほど、実行される報知演出により有利状態に制御する旨が決定されているか否かが示される情報の正確性が高くなるように実行される。
【００１２】
このように所定の出力期間において出力された特定情報を１回・１個だけ取得するのではなく、複数取得することにメリットが生まれるので、特定情報の取得の作業を単純なものとせず、これに面白みを生じさせることができる。また、遊技機から出力された複数の特定情報のうちで取得された特定情報の数に応じて報知演出により示される情報の正確性に変化が生じるので、実行される報知演出が単純なものとならず、その内容に面白みを生じさせることができる。
【００１３】
なお、前記特定情報出力手段から所定の出力期間において出力される複数の特定情報は、その全てが前記有利決定手段の決定結果を特定可能な情報を含むものとしてもよいが、出力された複数の特定情報のうちの少なくとも１つに前記有利決定手段の決定結果を特定可能な情報が含まれていればよい。後者の場合は、前記報知演出実行手段は、前記有利決定手段の決定結果を特定可能な情報を含む特定情報が取得されたことを条件として、前記報知演出を実行することができ、この場合において、前記有利決定手段の決定結果を特定可能な情報を含む特定情報は、報知演出の正確性を定める特定情報の数としてカウントされないものとすることもできる。また、前記特定情報出力手段により３以上の特定情報が出力される場合において、前記報知演出実行手段は、２以上の所定個数以上の特定情報が取得されたことを条件として、前記報知演出を実行するものとすることもできる。
【００１４】
上記遊技システムにおいて、
前記報知演出実行手段は、
前記特定情報取得手段により取得された特定情報に基づいて、前記有利決定手段により前記有利状態に制御する旨が決定されているか否かを特定する有利特定手段（ＣＰＵ３０１（ステップＳ１０２、Ｓ２０３））と、
複数種類の報知情報のうちから何れかの種類の報知情報を、前記有利特定手段により前記有利状態に制御する旨が決定されていると特定されたか否かと、前記撮影手段により撮影された特定情報の数とに応じて異なる割合で選択する報知情報選択手段（ＣＰＵ３０１（ステップＳ１０７、Ｓ２０７）、図９）とを備え、
前記報知情報選択手段により選択された報知情報に従って、前記報知演出を実行するものとすることができる。
【００１５】
この場合には、遊技機から特定情報を出力した後は、報知演出を実行するまでの処理を全て携帯端末装置の中で行うことができるので、システム資源を余分に消費してしまうことがない。
【００１６】
上記遊技システムは、前記携帯端末装置に接続されるサーバ装置（サーバ装置２００）をさらに備えるものであってもよい。この場合において、
前記報知演出実行手段は、
前記特定情報取得手段により取得された特定情報を前記サーバ装置に送信し、該サーバ装置に報知情報の返送を要求する報知情報要求手段（ＣＰＵ３０１、通信装置３０８（ステップＳ３０３））と、
前記報知情報要求手段からの要求に応答して前記サーバ装置から返送された報知情報を受信する報知情報受信手段（ＣＰＵ３０１、通信装置３０８（ステップＳ３０４））とを備え、
前記報知情報受信手段により受信された報知情報に従って、前記報知演出を実行するものとすることができる（ステップＳ３０５）。
ここで、前記サーバ装置は、
前記報知情報要求手段から送信された特定情報に基づいて、前記有利決定手段により前記有利状態に制御する旨が決定されているか否かを特定する有利特定手段（制御部２０３（ステップＳ４０２））と、
複数種類の報知情報のうちから何れかの種類の報知情報を、前記有利特定手段により前記有利状態に制御する旨が決定されていると特定されたか否かと、前記報知情報要求手段から送信された特定情報の数とに応じて異なる割合で選択する報知情報選択手段（制御部２０３（ステップＳ４０６）、図９のテーブルをＨＤＤ２０７に記憶）と、
前記報知情報選択手段により選択された報知情報を、要求元の携帯端末装置に送信する報知情報送信手段（制御部２０３、通信インターフェイス２１５（ステップＳ４０７））とを備えるものとすることができる。
【００１７】
この場合には、本発明で提供する遊技システムの遊技者毎の利用をサーバ装置において管理できるため、遊技システムの利用度に応じた従量課金が可能となる。また、携帯端末装置の特定情報取得手段により取得された特定情報から有利決定手段の決定結果を特定する部分が遊技者の手に渡ってしまうことがないので、これが不正利用されるのを防止することができる。
【００１８】
本発明の手段１は、上記第１の観点にかかる遊技システムにおいて、
前記特定情報は、前記有利決定手段の決定結果とは別の区分において区別される複数種別の特定情報（２次元コード、キャラクタ）を含み、前記複数の特定情報について何れかの種別の特定情報が前記特定情報出力手段から出力され（マーカーは、２次元コードとキャラクタの何れか一方を選択）、
前記報知演出実行手段は、前記特定情報取得手段により取得された特定情報の数が同じであっても、該取得された特定情報の種別に応じて実行される報知演出により前記有利状態に制御する旨が決定されているか否かが示される情報の正確性が異なるように、該報知演出を実行する（図９）ことを特徴とする。
【００１９】
ここでは、携帯端末装置に取得させた特定情報の数が同じでも、その種別に応じて報知演出により示される情報の正確性に変化が生じるので、遊技機から如何なる種別の特定情報が出力されるかにも遊技者に興味を持たせることができ、さらに遊技の興趣を向上させることができる。
【００２０】
本発明の手段２は、上記第１の観点にかかる遊技システム（手段１を含む）において、
前記特定情報出力手段は、前記特定情報を画像として表示する表示手段（可変表示装置９）を含み、前記出力期間において特定情報の画像を該表示手段上で移動させながら表示し（図８）、
前記特定情報取得手段は、前記表示手段に表示された特定情報の画像を撮影する撮影手段（撮影装置３０７）を含み、該撮影手段により所定の大きさ以上で撮影された１つの特定情報の画像から特定情報を１つずつ取得する（マーカーは、所定の大きさ以上（１つだけの撮影でなければ所定の大きさ以上とならない）で撮影されることで、そこに含まれる情報を特定することが可能になる）ことを特徴とする。
【００２１】
ここでは、携帯端末装置に特定情報を取得させるためには、遊技機の表示手段上で移動表示されている特定情報の画像を追いかけて携帯端末装置の撮影手段に該画像を撮影させる必要があるので、特定情報の取得がいっそう面白みのあるものとなり、さらに遊技の興趣を向上させることができる。また、遊技者が携帯端末装置を常に同じ位置に構えているだけでは特定情報の画像を撮影することが困難であることからも、特定情報の取得がいっそう面白みのあるものとなり、さらに遊技の興趣を向上させることができる。
【００２２】
本発明の手段３は、上記第１の観点にかかる遊技システム（手段１または２を含む）において、
前記特定情報出力手段は、前記特定情報を画像として表示する表示手段（可変表示装置９）を含み、前記出力期間において同時に複数の特定情報の画像を該表示手段の異なる位置に表示し（図８）、
前記特定情報取得手段は、前記表示手段に表示された特定情報の画像を撮影する撮影手段（撮影装置３０７）を含み、該撮影手段により所定の大きさ以上で撮影された１つの特定情報の画像から特定情報を１つずつ取得する（マーカーは、所定の大きさ以上（１つだけの撮影でなければ所定の大きさ以上とならない）で撮影されることで、そこに含まれる情報を特定することが可能になる）ことを特徴とする。
【００２３】
ここでは、携帯端末装置に２以上の特定情報を取得させるためには、遊技者が表示手段上の異なる位置に表示されている特定情報の画像に順に携帯端末装置を移動させて、その撮影手段に各画像を撮影させる必要があるので、特定情報の取得がいっそう面白みのあるものとなり、さらに遊技の興趣を向上させることができる。また、遊技者が携帯端末装置を常に同じ位置に構えているだけでは２以上の特定情報の画像を撮影することはできないことからも、特定情報の取得がいっそう面白みのあるものとなり、さらに遊技の興趣を向上させることができる。
【００２４】
本発明の手段４は、手段３の遊技システムにおいて、
前記表示手段の異なる位置に表示された複数の特定情報の画像には、所定の順序づけがされており（図８）、
前記報知演出実行手段は、前記複数の特定情報の画像が前記所定の順序で撮影された場合には該所定の順序で撮影されなかったときよりも、実行される報知演出により前記有利状態に制御する旨が決定されているか否かが示される情報の正確性が高くなるように、該報知演出を実行する（図９）ことを特徴とする。
【００２５】
ここでは、順序づけされた通りに特定情報の画像を撮影するには、遊技者が表示手段上の異なる位置に表示されている特定情報の画像に順序通りに携帯端末装置を移動させて、その撮影手段に各画像を撮影させる必要があるので、特定情報の取得がいっそう面白みのあるものとなり、さらに遊技の興趣を向上させることができる。また、結果的に同じだけの特定情報を取得できた場合であっても、特定情報を取得した順序に応じて報知演出により示される情報の正確性に変化が生じるので、実行される報知演出の内容にも、いっそうの面白みを生じさせることができる。
【００２６】
本発明の手段５は、上記第１の観点にかかる遊技システム（手段１乃至４のいずれかを含む）において、
前記特定情報出力手段は、前記出力期間においてタイミングを変えながら複数の特定情報を順に出力する（図８）ことを特徴とする。
【００２７】
ここでは、出力期間において複数の特定情報がタイミングを変えながら順に出力されるため、できる限り多くの特定情報を携帯端末装置に取得させるには、その間のより多くのタイミングで特定情報を順に取得していく必要があるので、特定情報の取得に対して一定期間継続して遊技者に関心を持たせることができ、さらに遊技の興趣を向上させることができる。
【００２８】
また、特に遊技システムを構成する遊技機としてスロットマシンを適用する場合には、スロットマシンにおける遊技操作（リールの停止操作など）と特定情報の取得操作とをそれぞれ如何なるタイミングで行うかの兼ね合いが生じるので、特定情報の取得が遊技の進行との絡みでいっそう面白みのあるものとなり、さらに遊技の興趣を向上させることができる。
【００２９】
本発明の手段６は、上記第１の観点にかかる遊技システム（手段１乃至５のいずれかを含む）において、
前記報知演出実行手段は、前記特定情報取得手段により２以上の特定情報が取得されたときにおいて、該２以上の特定情報の各々から特定される前記有利決定手段の決定結果が一致しないときには、前記報知演出を実行しない（ＣＰＵ３０１（ステップＳ１０４、Ｓ２０５、Ｓ３０５））ことを特徴とする。
【００３０】
なお、前記報知演出実行手段は、取得された２以上の特定情報の各々から特定される前記有利決定手段の決定結果が一致しないときには、エラーを報知するものとすることもできる（ＣＰＵ３０１（ステップＳ１０４、Ｓ２０５、Ｓ３０５））。
【００３１】
ここでは、携帯端末装置において２以上の特定情報が取得されたとしても、各々の特定情報から特定される有利決定手段の決定結果が一致しないときには、報知演出が実行されないものとなっている。このため、例えば、携帯端末装置において２以上の特定情報が取得されていても、それが同じ遊技機の異なる回の有利決定手段の決定に対してそれぞれ出力された２以上の特定情報とか、異なる遊技機からそれぞれ出力された２以上の特定情報に基づく報知演出が実行されないので、遊技システムとして本来予定されていない異常な報知演出が実行されるのを防ぐことができる。
【００３２】
また、特定情報を取得しても報知演出が実行されないことで、携帯端末装置において取得された報知情報が異常なものであったことを遊技者が認識できるものとなる。さらに、エラーの報知が行われる場合には、携帯端末装置において取得された報知情報が異常なものであったことを遊技者がより明確に認識できるものとなる。
【００３３】
なお、上記第１の観点にかかる遊技システム（手段１〜手段６のいずれかを含む）を構成する前記遊技機及び前記携帯端末装置（並びに前記サーバ装置）は、それぞれ単体でも本発明を構成するものである。
また、前記携帯端末装置（及び前記サーバ装置）として、それぞれコンピュータ装置（携帯端末装置の場合は、携帯電話機を含む）を機能させるための各プログラムも、それぞれが本発明を構成するものである。
【００３４】
上記目的を達成するため、本発明の第２の観点にかかる携帯端末装置は、
遊技機（パチンコ遊技機１）において遊技を行う遊技者の利用に供される携帯端末装置（携帯電話機３００）であって、
前記遊技機において通常状態よりも遊技者にとって有利な有利状態（大当たり遊技状態）に制御するか否かを決定した決定結果（大当たり抽選、大当たり種別抽選の結果）を特定可能な情報として該遊技機から出力された複数の特定情報（マーカー）を取得する特定情報取得手段（撮影装置３０７）と、
前記特定情報取得手段により取得された特定情報に基づいて、前記有利状態に制御するか否かの決定結果を報知または示唆する所定の報知演出（撮影予告）を実行する報知演出実行手段（ＣＰＵ３０１、表示装置３０６）とを備え、
前記報知演出実行手段は、
前記特定情報取得手段により取得された特定情報に基づいて、前記遊技機において前記有利状態に制御する旨が決定されているか否かを特定する有利特定手段（ＣＰＵ３０１（ステップＳ１０２、Ｓ２０３））と、
複数種類の報知情報のうちから何れかの種類の報知情報を、前記有利特定手段により前記有利状態に制御する旨が決定されていると特定されたか否かと、前記特定情報取得手段により取得された特定情報の数とに応じて異なる割合で選択する報知情報選択手段（ＣＰＵ３０１（ステップＳ１０７、Ｓ２０７）、図９）とを備え、
前記報知情報選択手段により選択された報知情報に従って、前記特定情報取得手段により取得された特定情報の数が多くなるほど、実行される報知演出により前記有利状態に制御する旨が決定されているか否かが示される情報の正確性が高くなるように、該報知演出を実行する（図９）
ことを特徴とする。
【００３５】
上記目的を達成するため、本発明の第３の観点にかかるサーバ装置は、
遊技機（パチンコ遊技機１）において遊技を行う遊技者の利用に供される携帯端末装置（携帯電話機３００）に接続されるサーバ装置（サーバ装置２００）であって、
前記遊技機において通常状態よりも遊技者にとって有利な有利状態（大当たり遊技状態）に制御するか否かを決定した決定結果（大当たり抽選、大当たり種別抽選の結果）を特定可能な情報として該遊技機から出力され、前記携帯端末装置により取得された複数の特定情報（マーカー）を該携帯端末装置から受信する特定情報受信手段（制御部２０３、通信インターフェイス２１５（ステップＳ４０１））と、
前記特定情報受信手段により受信された特定情報に基づいて、前記遊技機において前記有利状態に制御する旨が決定されているか否かを特定する有利特定手段（制御部２０３（ステップＳ４０２））と、
複数種類の報知情報のうちから何れかの種類の報知情報を、前記遊技機において前記有利状態に制御する旨が決定されていると特定されたか否かと、前記特定情報受信手段により受信された特定情報の数とに応じて異なる割合で選択する報知情報選択手段（制御部２０３（ステップＳ４０６）、図９のテーブルをＨＤＤ２０７に記憶）と、
前記報知情報選択手段により選択された報知情報を、前記特定情報の送信元の携帯端末装置に送信する報知情報送信手段（制御部２０３、通信インターフェイス２１５（ステップＳ４０７））とを備え、
前記特定情報受信手段により受信された特定情報の数が多くなるほど、実行される報知演出により前記有利状態に制御する旨が決定されているか否かが示される情報の正確性が高くなるように、前記携帯端末装置において報知演出を実行させる（図９）
ことを特徴とする。
【００３６】
上記目的を達成するため、本発明の第４の観点にかかるプログラムは、
遊技機（パチンコ遊技機１）において遊技を行う遊技者の利用に供される携帯端末装置（携帯電話機３００）に、該遊技機において通常状態よりも遊技者にとって有利な有利状態（大当たり遊技状態）に制御するか否かを決定した決定結果（大当たり抽選、大当たり種別抽選の結果）を報知または示唆する所定の報知演出（撮影予告）を該携帯端末装置に実行させるためのプログラムであって、
前記有利状態に制御するか否かを決定した決定結果を特定可能な情報として該遊技機から出力され、前記携帯端末装置により取得された複数の特定情報（マーカー）に基づいて、前記遊技機において前記有利状態に制御する旨が決定されているか否かを特定するステップ（ステップＳ１０２、Ｓ２０３、Ｓ４０２）と、
複数種類の報知情報のうちから何れかの種類の報知情報を、前記遊技機において前記有利状態に制御する旨が決定されていると特定されたか否かと、前記携帯端末装置により取得された特定情報の数とに応じて異なる割合で選択するステップ（ステップＳ１０７、Ｓ２０７、Ｓ４０６）と、
前記選択された報知情報に従って、前記携帯端末装置により取得された特定情報の数が多くなるほど、実行される報知演出により前記有利状態に制御する旨が決定されているか否かが示される情報の正確性が高くなるように、該報知演出を前記携帯端末装置に実行させるためのステップ（ステップＳ１０８、Ｓ２０８、Ｓ４０７）と
を実行させることを特徴とする。
【００３７】
なお、上記第４の観点にかかるプログラムが実行されるコンピュータ装置は、前記携帯端末装置そのものとしてもよく、或いは、該携帯端末装置に接続されるサーバ装置としてもよい。
【図面の簡単な説明】
【００３８】
【図１】本発明の実施の形態にかかる遊技システムの全体構成を示す図である。
【図２】図１のパチンコ遊技機の正面図である。
【図３】図２のパチンコ遊技機の制御回路の構成を示すブロック図である。
【図４】図１のサーバ装置の構成を示すブロック図である。
【図５】図１の携帯電話機の構成を示すブロック図である。
【図６】（ａ）は、大当たり判定用テーブルを示す図であり、（ｂ）、（ｃ）は、大当たり種別判定用テーブルを示す図である。
【図７】パチンコ遊技機において予告演出を選択する予告演出選択テーブルを示す図である。
【図８】飾り図柄の変動表示が行われているときにおいてパチンコ遊技機の可変表示装置に表示されるマーカーの表示態様を示す図である。
【図９】携帯電話機のアプリケーションプログラムのデータとして記憶される予告内容選択テーブルを示す図である。
【図１０】主基板の制御部により実行される２ｍｓタイマ割り込み処理を示すフローチャートである。
【図１１】表示制御基板の表示制御ＣＰＵにより実行されるメイン処理を示すフローチャートである。
【図１２】携帯電話機のアプリケーションプログラムにより実行される処理を示すフローチャートである。
【図１３】本発明の実施の形態において、パチンコ遊技機における飾り図柄の変動表示の開始から携帯電話機に予告内容を表示するまでの実行例を示す図である。
【図１４】携帯電話機のアプリケーションプログラムにより実行される処理の変形例を示すフローチャートである。
【図１５】撮影したマーカーを携帯電話機からサーバ装置に送り、サーバ装置から携帯電話機に表示される予告内容が送られる場合の変形例の処理を示すフローチャートである。
【発明を実施するための形態】
【００３９】
以下、添付図面を参照して、本発明の実施の形態について説明する。
【００４０】
図１は、この実施の形態にかかる遊技システムの全体構成を示す図である。図示するように、この遊技システムは、パチンコ遊技機１と、サーバ装置２００と、携帯電話機３００とから構成される。携帯電話機３００は、パチンコ遊技機１で遊技を行う者（行おうとする者）の利用に供されるものである。携帯電話機３００とサーバ装置２００とは、ネットワーク１５１を介して接続される。
【００４１】
図２は、図１のパチンコ遊技機１を正面からみた正面図である。パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）と、を含む構造体である。
【００４２】
図２に示すように、パチンコ遊技機１は、額縁状に形成されたガラス扉枠２を有する。ガラス扉枠２の下部表面には打球供給皿（上皿）３がある。打球供給皿３の前面には、チャンスボタン１６が設けられている。チャンスボタン１６は、可変表示装置９などの演出手段において所定の種類の演出が実行されているときに、遊技者がこれを操作し、その操作が所定の操作条件を満たしたか否かにより、演出の経過および／または結果を変化させることができるボタンである。
【００４３】
打球供給皿３の下部には、打球供給皿３に収容しきれない遊技球を貯留する余剰球受皿４、回転操作することにより遊技領域７に打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には打ち込まれた遊技球が流下可能な遊技領域７が形成されている。
【００４４】
遊技領域７の中央付近には、液晶表示装置（ＬＣＤ）により構成される可変表示装置９を備えている。可変表示装置９の周囲を取り巻く円形状の枠の中に、演出手段としての装飾ランプ２５ａ〜２５ｃと、役物２６とが設けられている。遊技領域７の可変表示装置９よりも下側には、２つの始動入賞口１４ａ、１４ｂが上下に並べて配置されている。下側にある始動入賞口１４ｂには、開放状態となることで遊技球の入賞を容易にする可変入賞装置１５が設けられている。可変入賞装置１５が閉鎖状態となっているときには、始動入賞口１４ｂへの遊技球の入賞が困難になるが、完全に不可能となってしまう訳ではない。
【００４５】
始動入賞口１４ａ、１４ｂの下方には、大入賞口２１が開放状態とされる特別可変入賞装置２０が設けられている。特別可変入賞装置２０が閉鎖状態となっているときには、大入賞口２１に遊技球が全く入賞し得なくなる。特別可変入賞装置２０が設けられている位置は、遊技者が可変表示装置９を見て遊技を進めている場合には、大入賞口２１が開放状態となっているのかどうかが遊技者にほとんど分からないような位置となっている。特別可変入賞装置２０の両側には、７セグメントＬＥＤにより構成される特別図柄表示器１０ａ、１０ｂが設けられている。特別図柄表示器１０ａ、１０ｂでは、７セグメントＬＥＤによって表示される特別図柄の変動表示を行なっている。
【００４６】
特別図柄表示器１０ａは、始動入賞口１４ａへの遊技球の入賞に基づいて特別図柄の変動表示（特図ゲーム）を行い、特別図柄表示器１０ｂは、始動入賞口１４ｂへの遊技球の入賞に基づいて特別図柄の変動表示を行う。特別図柄表示器１０ａ、１０ｂの両方で同時に特別図柄の変動表示が行われることはなく、特別図柄表示器１０ａまたは１０ｂで特別図柄の変動表示が終了した後に、特別図柄表示器１０ａ、１０ｂの両方で変動表示を開始させるための条件が成立しているときには、いわゆる電チューサポートがされる方の特別図柄表示器１０ｂで優先的に特別図柄の変動表示が行われることとなる。
【００４７】
特別図柄表示器１０ａ、１０ｂの表示結果の態様は、７つのセグメントの点灯／非点灯の組み合わせにより、２＾７−１＝１２７通りある（＾は、べき乗を表し、７セグメントの全てを非点灯する態様が特別図柄表示器１０ａ、１０ｂの表示結果として除かれるため、１だけマイナスされている）。第１特定表示結果、第２特定表示結果、第３特定表示結果、第４特定表示結果には、「０」〜「９」の数字などの遊技者にとって比較的分かり易い図柄を含んでいてよいが、意味のある文字とは認識できない７つのセグメントの点灯／非点灯の組み合わせも採用しており、特別図柄表示器１０ａ、１０ｂの表示結果だけからは大当たりの種類を特定することが非常に困難なものとなっている。
【００４８】
特別図柄表示器１０ａ、１０ｂに第１特定表示結果（確率変動大当たり図柄）を表示した後には、後述する第１大当たり遊技状態に遊技状態を制御する。第１大当たり遊技状態の終了後に、次の大当たり（種類を問わず）が発生するまでの間、時短状態（特別図柄及び普通図柄の変動表示の時間が短縮される状態）に遊技状態が制御されるとともに、通常遊技状態（或いは、確率変動状態とならない時短状態）よりも大当たり確率が高くなる確率変動状態に遊技状態が制御される。
【００４９】
特別図柄表示器１０ａ、１０ｂに第２特定表示結果（確変昇格大当たり図柄）を表示した後には、後述する第１大当たり遊技状態に遊技状態を制御する。第１大当たり遊技状態の終了後に、次の大当たり（種類を問わず）が発生するまでの間、時短状態（特別図柄及び普通図柄の変動表示の時間が短縮される状態）に遊技状態が制御されるとともに、前記した確率変動状態に遊技状態が制御される。
【００５０】
特別図柄表示器１０ａ、１０ｂに第３特定表示結果（突然確変大当たり図柄）を表示した後には、後述する第２大当たり遊技状態に遊技状態を制御する。第２大当たり遊技状態の終了後に、次の大当たり（種類を問わず）が発生するまでの間、時短状態（特別図柄及び普通図柄の変動表示の時間が短縮される状態）に遊技状態が制御されるとともに、前記した確率変動状態に遊技状態が制御される。
【００５１】
特別図柄表示器１０ａ、１０ｂに第４特定表示結果（時短大当たり図柄）を表示した後には、後述する第１大当たり遊技状態に遊技状態を制御する。第１大当たり遊技状態の終了後に、特別図柄表示器１０ａ、１０ｂにおいて１００回の変動表示が行われるまでの間は時短状態に遊技状態が制御されるものの、次の大当たり発生までの大当たり確率を通常とする（確率変動状態の大当たり確率よりも低くなる）通常遊技状態に制御される。通常遊技状態において何れかの種類の大当たりが発生することを、初当たりという。
【００５２】
また、可変表示装置９では、横方向に３つ並べられた飾り図柄表示領域９ａ〜９ｃにて飾り図柄（例えば、「０」〜「９」の１０種類）を縦方向にスクロールさせる変動表示を行っている。可変表示装置９は、特別図柄表示器１０ａ、１０ｂで行われる変動表示の内容を、飾り図柄の変動表示によって演出効果を高めて遊技者に表示するための変動表示装置である。特別図柄表示器１０ａ、１０ｂで特別図柄の変動表示が継続されている限り、飾り図柄の変動表示が一旦停止（仮停止）していても、大当たり抽選及び大当たり種別抽選に対する確定的な表示結果が示されたことにはならない。
【００５３】
さらに、可変表示装置９においては、飾り図柄が変動表示されるのに合わせてキャラクタの表示などによる演出（リーチ予告などの各種予告演出やリーチ演出表示など）が行われたり、飾り図柄が変動表示されているときに後述するマーカーが表示されるものとなる。可変表示装置９は、特別図柄の変動表示に合わせて飾り図柄の変動表示を行うため以外に、大当たり演出における画像を表示するためにも用いられる。
【００５４】
なお、第１特定表示結果（確率変動大当たり図柄）の表示によっても、第２特定表示結果（確変昇格大当たり図柄）の表示によっても、第１大当たり遊技状態から確率変動状態への制御（＋時短）という遊技状態の制御には全く変わりがない。もっとも、特別図柄表示器１０ａ、１０ｂに第１特定表示結果（確率変動大当たり図柄）が表示されたときには、この時点で可変表示装置９に表示される飾り図柄を「１」または「７」で揃えるなどして確率変動状態に制御される旨が報知される。
【００５５】
これに対して、第２特定表示結果（確変昇格大当たり図柄）が表示されたときには、この時点では可変表示装置９に表示される飾り図柄を第４特定表示結果（時短大当たり図柄）が表示されたときと同様に「１」または「７」以外の図柄で揃えるなどして確率変動状態に制御される旨が報知されない。第４特定表示結果（時短大当たり図柄）が表示されたときには、可変表示装置９に表示される飾り図柄を「１」または「７」以外の図柄とする。確率変動状態に制御される旨は、大当たり演出において報知される。
【００５６】
第３特定表示結果（突然確変大当たり図柄）が表示されたときには、可変表示装置９に表示される飾り図柄を特別図柄表示器１０ａ、１０ｂにハズレ図柄が表示されたときと同様の３つの飾り図柄が揃っていない態様にするものとなっている。なお、突然確変大当たりによって制御される第２大当たり遊技状態は、大入賞口２１の開放が極短期間で終了し、大当たり演出も実行されずに次の変動表示の開始までハズレ図柄を表示したままとしておく。もっとも、第２大当たり遊技状態が終了して次の変動表示が開始されたときには、確率変動状態に制御されていることとなる。
【００５７】
また、特別図柄表示器１０ａまたは１０ｂにて特別図柄の変動表示が行われ、可変表示装置９にて飾り図柄の変動表示が行われているときに、装飾ランプ２５ａ〜２５ｃの点灯や役物２６の駆動などによる演出が実行されることがある。なお、パチンコ遊技機１において実行される演出には、大きく分けて予告と告知とがあるが、予告とは、それによって示される内容が生じる可能性があることの報知であり、それによって示される内容が生じることを確定的に示す報知である告知と区別される。但し、一連の演出の終了間際までは可能性を示すだけであるが、当該一連の演出の最終部分で確定的な報知がなされる場合は、最終部分が告知、それよりも前の部分が予告としての意味を持つ演出となる。
【００５８】
可変表示装置９の表示領域のうちの下部の表示領域に、始動入賞口１４ａ、１４ｂに遊技球が入り始動条件が成立したが未だ特別図柄表示器１０ａ、１０ｂの開始条件（例えば、前回の特別図柄の変動表示の終了、大当たり遊技状態の終了）が成立していない始動条件の成立回数として後述する主基板３１のＲＡＭ５５（図３参照）に記憶された保留記憶数をそれぞれ表示する保留記憶数表示手段として特別図柄保留記憶表示部１１ａ、１１ｂが設定されている。
【００５９】
特別図柄保留記憶表示部１１ａは、４つのアイコンの表示部を備え、始動入賞口１４ａへの有効始動入賞（本実施形態では、保留記憶数が４未満のときの始動入賞）がある毎に、表示するアイコンをその時点で表示されているアイコンの右側に１つ追加し、特別図柄表示器１０ａにて特別図柄の変動表示が開始される毎に、最も左側に表示されていたアイコン（今回開始した変動表示に対応していたもの）を消去するとともに、他に表示されていたアイコンを１つずつ左にずらして表示する。すなわち、表示するアイコンの数を１つ減らす。特別図柄保留記憶表示部１１ｂについても、同様に、始動入賞口１４ｂへの有効始動入賞がある毎に、アイコンを１つ増やし、特別図柄表示器１０ｂにて特別図柄の変動表示が開始される毎に、アイコンを１つ減らす。
【００６０】
ＲＡＭ５５（図３参照）には、特別図柄表示器１０ａにおける特別図柄の始動条件が成立（打球が始動入賞口１４ａへ入賞）したときに主基板３１のＣＰＵ５６（図３参照）により抽出された大当たり判定用乱数等の各種乱数の抽出順番を特定可能に記憶する４つの保留記憶バッファが設けられている。特別図柄保留記憶表示部１１ａは、保留記憶バッファのうちで各種乱数の記憶された保留記憶バッファの数（保留記憶数）を特定可能に表示する。保留記憶バッファには、抽出された各種乱数のうち未だ開始条件（例えば、前回の特別図柄の変動表示の終了、大当たり遊技状態の終了）が成立していない数値データが予め定められた上限数として４個まで記憶される。特別図柄保留記憶表示部１１ｂについても、同様の保留記憶バッファが設けられている。
【００６１】
上記した始動入賞口１４ａ、１４ｂに入った入賞球は、それぞれ遊技盤６の背面に導かれ、始動口スイッチ６２ａ、６２ｂ（図３参照）によって検出される。可変入賞装置１５は、ソレノイド７１（図３参照）によって開放状態とされる。後述する普通図柄の変動表示の結果に応じてソレノイド７１により可変入賞装置１５が開放状態となることにより、遊技球が始動入賞口１４ｂに入賞し易くなり（始動入賞し易くなり）、遊技者にとって有利な状態となる。
【００６２】
また、特別可変入賞装置２０は、ソレノイド７２（図３参照）により可動して大入賞口２１に遊技球が入賞可能な受入可能状態と、大入賞口２１に遊技球が入賞不能な受入不能状態とに変化可能であり、受入可能状態において大入賞口２１が開放状態とされるものとなる。また、特別可変入賞装置２０から遊技盤６の背面に導かれた入賞球は、カウントスイッチ６３（図３参照）で検出される。遊技盤６の背面には、大入賞口２１内の経路を切り換えるためのソレノイド７３（図３参照）も設けられている。
【００６３】
特別可変入賞装置２０は、第１大当たり遊技状態において、大入賞口２１の開放から一定時間経過するまで、または所定個数（例えば、１０個）の遊技球が入賞するまで大入賞口２１を開放状態とする。大入賞口２１が開閉されてから一定期間（例えば、第１大当たり遊技状態においては３０秒、第２大当たり遊技状態においては１秒）経過するまで、または所定個数（例えば、１０個）の打球が大入賞口２１に入賞するまでが１ラウンドである。第１大当たり遊技状態は、このような大入賞口２１の開放が所定回数（例えば、１５回）に亘って繰り返して提供される遊技状態である。
【００６４】
特別可変入賞装置２０は、また、第２大当たり遊技状態において、大入賞口２１を極めて短い時間（例えば、０．２〜０．５秒程度）で２回だけ開放状態とする。突然確変大当たりしたときに確率変動状態に制御される前の遊技状態が、この第２大当たり遊技状態である。第２大当たり遊技状態は、大入賞口２１の開放が極めて短い期間しか行われないため、打球が１つも大入賞口２１に入賞しないまま終了して、確率変動状態に制御されることとなる場合も多く、第２大当たり遊技状態に制御されたこと自体が遊技者に気づかれない場合も多い。
【００６５】
また、遊技領域７の左側には、「１５」及び「２」と付された一対のＬＥＤからなるラウンド数表示器１９が設けられている。このラウンド数表示器１９は、発生される大当たり遊技状態のラウンド数（第１、第２大当たり遊技状態で、それぞれ１５、２ラウンド）を表示するものである。一方、遊技領域７の右側には、「○」及び「×」と付された左右一対のＬＥＤからなる普通図柄表示器１２が設けられている。この普通図柄表示器１２は、普通図柄と呼ばれる複数種類の識別情報（例えば、「○」及び「×」）を変動表示可能なものである。
【００６６】
ゲート２８ａ、２８ｂを遊技球が通過したことがゲートスイッチ６１（図３参照）で検出されると、普通図柄当たり判定用乱数が抽出されて主基板３１（図３参照）に搭載されるＲＡＭ５５（図３参照）の普通図柄バッファに格納される。この実施の形態では、ＲＡＭ５５（図３参照）の普通図柄バッファに記憶可能な普通図柄当たり判定用乱数の記憶数の上限は、４個となっている。普通図柄表示器１２において普通図柄の表示状態が変化（「○」および「×」が交互に点灯）する変動表示を開始できる状態（前回の普通図柄表示器１２における変動表示の終了）であれば、普通図柄表示器１２において普通図柄の変動表示が開始される。
【００６７】
普通図柄表示器１２の上方には、普通図柄バッファに格納される普通図柄当たり判定用乱数の記憶数を表示する所定数（この実施の形態では４つ）のＬＥＤを有する普通図柄保留記憶表示器１３が設けられている。この普通図柄保留記憶表示器１３は、ゲート２８ａ、２８ｂを遊技球が通過したことがゲートスイッチ６１で検出されて新たに普通図柄当たり判定用乱数が記憶されると、点灯するＬＥＤを１つ増やす。普通図柄表示器１２にて普通図柄（例えば、「○」及び「×」）の変動表示が開始される毎に点灯しているＬＥＤを１減らす。
【００６８】
普通図柄表示器１２にて、○と×の付された左右のランプ（点灯時に図柄が視認可能になる）が交互に点灯することによって普通図柄の変動表示が行われ、変動表示は所定時間（例えば、時短状態であれば２．９秒、時短状態でなければ２９．２秒）継続する。そして、変動表示の終了時に○の付された左側のランプが点灯すれば当たりとなる。普通図柄表示器１２における変動表示の表示結果が当たりである場合には、可変入賞装置１５が所定時間（例えば、時短状態であれば２．９秒、時短状態でなければ１．４秒）だけ開放状態になる。
【００６９】
普通図柄の変動表示の結果を当たりとするか否かは、ゲート２８ａ、２８ｂを遊技球が通過し、ゲートスイッチ６１で遊技球が検出されたときに抽出された普通図柄当たり判定用乱数の値が所定の普通図柄当たり判定値と合致したか否かによって決定される。この当たり確率は、時短状態では非常に高い（例えば、３５／３６）が、時短状態でなければ低い（例えば、１／３６）ものとなっている。時短状態は、このように可変入賞装置１５が開放状態にある割合が非常に多いので、遊技者の手持ちの遊技球を減少させずに（或いは、減少したとしても減少量はごく僅かで）、遊技を進められる状態となっている。
【００７０】
ゲート２８ａの左方及び下方、並びにゲート２８ｂの下方及び右方には、それぞれ入賞口２９ａ〜２９ｄが設けられている。入賞口２９ａ〜２９ｄに遊技球が入賞したことが入賞口スイッチ６４（図３参照）で検出されると、所定数の遊技球が払い出される。遊技球の払い出しは、始動入賞口１４ａ、１４ｂ、大入賞口２１への遊技球の入賞によっても行われるが、ゲート２８ａ、２８ｂを遊技球が通過しても行われない。
【００７１】
遊技盤６の遊技領域７の下部には、入賞しなかった打球が取り込まれるアウト口３０が設けられている。また、遊技領域７の外側の左右上部には、所定の音声出力として効果音や音声を発声する２つのスピーカ２７が設けられている。遊技領域７の外周上部、外周左部および外周右部には、前面枠に設けられた天枠ランプ４０、枠ランプ左４１および枠ランプ右４２が設けられている。
【００７２】
また、図２には示していないが、パチンコ遊技機１には打球操作ハンドル５を操作することにより駆動モータを駆動し、駆動モータの回転力を利用して遊技球を遊技領域７に発射する打球発射装置４５（図３参照）が設けられている。打球発射装置４５から発射された遊技球は、遊技盤６に遊技領域７を囲むように円形状に載設された打球レールを通って遊技領域７に入り、その後、遊技領域７を下りてくる。始動入賞口１４ａ、１４ｂ、大入賞口２１、入賞口２９ａ〜２９ｄのいずれにも入賞しなかった遊技球は、アウト口３０から排出されるものとなっている。
【００７３】
図３は、本実施形態に係るパチンコ遊技機１の回路構成の概要を表したブロック図である。主基板３１には、プログラムに従ってパチンコ遊技機１を制御する基本回路５３が搭載されている。基本回路５３は、ゲーム制御用のプログラム等を記憶するＲＯＭ５４、ワークメモリとして使用される記憶手段としてのＲＡＭ５５、プログラムに従って遊技の信号を制御するＣＰＵ５６、及び表示制御基板８０等に制御信号を送信するＩ／Ｏポート部５７を含む。
【００７４】
この実施の形態では、ＲＯＭ５４、ＲＡＭ５５、ＣＰＵ５６及びＩ／Ｏポート部５７を含む基本回路５３は、１チップマイクロコンピュータとして構成されているが、この基本回路５３を構成する１チップマイクロコンピュータには、パチンコ遊技機１の電源が遮断されている間にもバックアップバッテリから電力が供給されている。すなわち、ＲＡＭ５５に記憶されているデータは、バックアップバッテリから電力が供給される限りにおいて、パチンコ遊技機１の電源が遮断されている間も保持される。
【００７５】
なお、ＣＰＵ５６はＲＯＭ５４に格納されているプログラムに従って制御を実行するので、以下、ＣＰＵ５６が実行する（または、処理を行う）ということは、具体的には、ＣＰＵ５６がプログラムに従って制御を実行することである。このことは、主基板３１以外の他の基板に搭載されているＣＰＵについても同様である。また、この実施の形態で用いられる遊技制御用マイクロコンピュータとは、主基板３１に搭載されるＣＰＵ５６、ＲＯＭ５４、ＲＡＭ５５、Ｉ／Ｏポート部５７、等の周辺回路のことである。
【００７６】
また、ゲートスイッチ６１、始動口スイッチ６２ａ、６２ｂ、カウントスイッチ６３、入賞口スイッチ６４、余剰球受皿４がいっぱいになったときに検出する満タンスイッチ（図示しない）、カウントスイッチ短絡信号（図示しない）、からの信号を基本回路５３に与えるスイッチ回路３２、可変入賞装置１５を開閉するソレノイド７１、特別可変入賞装置２０を開閉するソレノイド７２、大入賞口２１内に設けられたシーソーを可動するソレノイド７３、等を基本回路５３からの指令に従って駆動するソレノイド回路３３、電源投入時に基本回路５３をリセットするためのシステムリセット回路（図示しない）、基本回路５３から与えられるデータに従って、大当たり遊技状態（第１大当たり遊技状態、第２大当たり遊技状態）の発生を示す大当たり情報等の情報出力信号をホールコンピュータ等の外部装置に対して出力する情報出力回路３４、も主基板３１に搭載されている。
【００７７】
また、電源起動時において内部状態（ＲＡＭ５５）をリセットするリセットスイッチ９３、及び電源のＯＮ／ＯＦＦ切り替えを行うメインスイッチ９４も、主基板３１に接続されており、これらのスイッチの検出信号を基本回路５３へと送る。これらのスイッチ９３、９４は、パチンコ遊技機１の内部に設けられている。また、主基板３１に搭載されたＣＰＵ５６は、特別図柄表示器１０ａ、１０ｂの表示制御、普通図柄表示器１２、およびラウンド数表示器１９の表示制御を行う。さらに、普通図柄保留記憶表示器１３の発光制御を行う。
【００７８】
主基板３１に設けられた遊技制御用マイクロコンピュータ（ＣＰＵ５６及びＲＯＭ５４、ＲＡＭ５５等の周辺回路）は、プリペイドカード等が挿入されることによって球貸しを可能にするカードユニット５０、遊技盤６に設けられた複数の入賞口にて遊技球の入賞を検出したことにより賞球払い出しを行う球払出装置４４、を制御する払出制御基板３６に払出制御信号を送信する。また、遊技制御用マイクロコンピュータは、打球操作ハンドル５を操作することにより打球発射装置４５を駆動制御して遊技球を遊技領域７に向けて発射制御する発射制御基板３７に発射制御信号を送信する。
【００７９】
さらに、遊技制御用マイクロコンピュータは、表示制御基板８０に演出制御コマンド（演出制御信号）を送信する。演出制御コマンドを受信することにより表示制御基板８０に設けられた表示制御用マイクロコンピュータ（表示制御用ＣＰＵ（図示しない）、ＲＡＭ（図示しない）、ＲＯＭ（図示しない）、Ｉ／Ｏポート部（図示しない）、等の周辺回路）は、可変表示装置９の表示制御を行う。表示制御用マイクロコンピュータには、パチンコ遊技機１の電源が遮断されている間にバックアップバッテリから電力が供給されず、そのＲＡＭに記憶されたデータは、パチンコ遊技機１の電源が遮断されると消去される。
【００８０】
表示制御用ＣＰＵは、ＲＯＭに格納されたプログラムに従って動作し、主基板３１から演出制御コマンドを受信すると、受信した演出制御コマンドに従って可変表示装置９の表示制御を行う。具体的には、画像表示を行う表示制御機能及び高速描画機能を有するＶＤＰ（図示しない）により可変表示装置９の表示制御を行う。表示制御用ＣＰＵは、受信した演出制御コマンドに従ってキャラクタＲＯＭ（図示しない）から必要なデータを読み出す。キャラクタＲＯＭは、可変表示装置９に表示される画像の中でも使用頻度の高いキャラクタ画像データ、具体的には、人物、怪物、文字、図形または記号等を予め格納しておくためのものである。
【００８１】
そして、表示制御用ＣＰＵは、キャラクタＲＯＭから読み出したデータをＶＤＰに出力する。ＶＤＰは、表示制御用ＣＰＵからデータが入力されたことに基づいて動作する。この実施の形態では、可変表示装置９の表示制御を行うＶＤＰ（図示しない）が表示制御基板８０に搭載されている。また、ＶＤＰは、表示制御用ＣＰＵとは独立した二次元のアドレス空間を持ち、そこにＶＲＡＭ（図示しない）をマッピングしている。ＶＤＰは、キャラクタ画像データに従って可変表示装置９に表示するための画像データを生成し、ＶＲＡＭに展開する。ＶＲＡＭは、ＶＤＰによって生成された画像データを展開するためのフレームバッファメモリである。そして、可変表示装置９に出力する。なお、可変表示装置９の表示制御には、特別図柄の変動表示（リーチ演出表示を含む）、リーチ予告演出、後述するマーカーの表示、大当たり演出、保留記憶のアイコン表示などが含まれる。
【００８２】
また、表示制御基板８０には、スイッチ回路（図示しない）を介してチャンスボタン１６も接続されており、チャンスボタン１６の押圧操作を検出した検出信号を、表示制御用マイクロコンピュータへと送る。
【００８３】
また、この実施の形態では、表示制御基板８０に設けられた表示制御用マイクロコンピュータは、音声出力基板７０にスピーカ２７の駆動信号を出力することによりスピーカ２７の音声出力制御を行うとともに、ランプドライバ基板３５に役物、ランプ・ＬＥＤの駆動信号を出力することによりパチンコ遊技機１に設けられた役物、ランプ・ＬＥＤの発光制御を行う。すなわち、表示制御基板８０に搭載される表示制御用マイクロコンピュータは、主基板３１から送信される可変表示装置９の表示制御、ランプ・ＬＥＤの点灯制御、遊技音発生等の演出の制御に関する指令情報としての演出制御コマンド（制御信号）に基づいて可変表示装置９、スピーカ２７、パチンコ遊技機１に設けられるランプ・ＬＥＤ等の発光体の制御を行う演出制御用マイクロコンピュータである。
【００８４】
スピーカ２７から出力される音声の再生の処理そのものは、音声出力基板７０に搭載された音声制御用マイクロコンピュータ（ＣＰＵ、ＲＡＭ、ＲＯＭを含む）が行い、ランプ・ＬＥＤの点灯制御の処理そのものは、ランプドライバ回路３５に搭載されたランプ制御用マイクロコンピュータ（ＣＰＵ、ＲＡＭ、ＲＯＭを含む）が行うものとなっている。もっとも、これらのマイクロコンピュータは、表示制御基板８０の表示制御用ＣＰＵから指示されたままに音声の再生出力やランプ・ＬＥＤの点灯を単純に行うのみであり、どの様な音声を再生出力させるか、ランプ・ＬＥＤをどの様に点灯させるかは、表示制御基板８０の表示制御用ＣＰＵが制御しているとも言える。
【００８５】
図４は、図１のサーバ装置２００の構成を示すブロック図である。図示するように、サーバ装置２００は、サーバ本体２０１を中心として構築される。サーバ本体２０１は、その内部バス２１９に接続された制御部２０３、ＲＡＭ２０５、ハードディスク・ドライブ（ＨＤＤ）２０７、ＤＶＤ／ＣＤ−ＲＯＭドライブ２１３、通信インターフェイス２１５を含む。ＤＶＤ／ＣＤ−ＲＯＭドライブ２１３には、記録媒体（ＤＶＤ−ＲＯＭまたはＣＤ−ＲＯＭ）２３１を装着し得る。
【００８６】
制御部２０３は、ＣＰＵ（Central Processing Unit）やＲＯＭ（Read Only Memory）などを含み、ＨＤＤ２０７や記録媒体２３１上に格納されたプログラムを実行し、サーバ装置２００の制御を行う。制御部２０３は、現在時刻を計時する内部タイマを備えている。ＲＡＭ２０５は、制御部２０３のワークエリアである。ＨＤＤ２０７は、プログラムやデータを保存するための記憶領域である。通信インターフェイス２１５は、ネットワーク１５１に接続され、携帯電話機３００との通信を行う。
【００８７】
サーバ装置２００での処理を行うためのプログラム及びデータは、最初例えば記録媒体２３１に記憶され、ここからＨＤＤ２０７にインストールされる。そして、このプログラム及びデータは実行時にＨＤＤ２０７から読み出されて、ＲＡＭ２０５にロードされる。制御部２０３は、ＲＡＭ２０５にロードされたプログラム及びデータを処理する。制御部２０３が処理を行っている間の中間的なデータは、ＲＡＭ２０５に記憶される。
【００８８】
また、サーバ装置２００のＨＤＤ２０７には、この実施の形態にかかる遊技システムを構成させるために携帯電話機３００において実行されることとなるアプリケーションプログラムが記憶されている。制御部２０３は、携帯電話機３００からのアプリケーションプログラムのダウンロード要求に応答してＨＤＤ２０７から該アプリケーションプログラムを読み出し、通信インターフェイス２１５からネットワークを介して要求元の携帯電話機３００に送信する。
【００８９】
図５は、図１の携帯電話機３００の構成を示すブロック図である。図示するように、携帯電話機３００は、ＣＰＵ３０１と、ＲＯＭ３０２と、ＲＡＭ３０３と、ＧＰＳ３０４と、入力装置３０５と、表示装置３０６と、撮影装置３０７と、通信装置３０８とを備える。携帯電話機３００は、このほかにも通話を行うために必要な構成要素を備えているが、本発明とは直接関係がないため、図５において省略している。
【００９０】
ＣＰＵ３０１は、ＲＯＭ３０２に記憶されたプログラムを実行し、遊技システムを利用するために必要な処理を行う。ＣＰＵ３０１は、内部タイマを含む。ＲＯＭ３０２は、この実施の形態にかかる遊技システムを利用するためのアプリケーションプログラムを含むＣＰＵ３０１の処理プログラムを記憶する。ＲＯＭ３０２の少なくとも一部は、電気的に書き込み／消去が可能なフラッシュメモリによって構成されている。アプリケーションプログラム（該アプリケーションで使用する固定データを含む）は、サーバ装置２００からダウンロードして、フラッシュメモリに格納されるものとなる。
【００９１】
ＲＡＭ３０３は、バッテリバックアップされており、後述する各種のテーブルなどのデータを記憶するとともに、ＣＰＵ３０１のワークエリアとして使用される。撮影装置３０７によって撮影したマーカー（後述）の一時記憶エリアとしても使用される。ＧＰＳ３０４は、携帯電話機３００が現実に位置している実空間における位置情報を取得する。入力装置３０５は、「１」〜「０」までの数字キー、「＊」キー、「＃」キー、方向キーなどを含み、利用者の操作によって必要な情報をＣＰＵ３０１に入力する。また、撮影装置３０７により写真を撮影するための指示も、入力装置３０５から入力する。
【００９２】
表示装置３０６は、液晶表示装置などによって構成され、撮影装置３０７によって後述するマーカーが撮影された場合に、撮影されたマーカーに応じて確率変動大当たり、確変昇格大当たりまたは時短大当たりとなる信頼度を示す撮影予告の画像を表示する。撮影装置３０７は、実空間における画像を撮影するためのカメラから構成されたものである。撮影装置３０７は、パチンコ遊技機１の可変表示装置９に表示される後述のマーカーを撮影するために用いられる。通信装置３０８は、ネットワーク１５１を介してサーバ装置２００と情報を送受信する。
【００９３】
以下、この実施の形態にかかる遊技システムを構成するパチンコ遊技機１における遊技について、特に、特別図柄表示器１０ａ、１０ｂにおける特別図柄の変動表示、及び可変表示装置９における飾り図柄の変動表示について説明する。特別図柄の変動表示の結果を大当たりとするか否か、大当たりとする場合にはいずれの種類の大当たりとするか、さらには特別図柄の変動パターンをいずれとするかは、始動入賞時に抽出される各種乱数（大当たり判定用乱数、大当たり種別判定用乱数、変動種別判定用乱数、変動パターン判定用乱数）に基づいて、特別図柄表示器１０ａ、１０ｂにおける特別図柄の変動表示の始動条件が成立したときに決定される。
【００９４】
まず、大当たりの決定について説明する。図６（ａ）は、ＲＯＭ５４に記憶されている大当たり判定用テーブルを示す図である。特別図柄の変動表示の結果を大当たりとするか否かは、図６（ａ）の大当たり判定用テーブルと、始動入賞時に抽出された乱数のうちの大当たり判定用乱数（ランダムＲ：０〜６５５３５）の値とに基づいて決定される。通常時（非確率変動時）においては、大当たり判定用乱数の値が１０００〜１０５９、１３３２０〜１３４７７であれば、大当たりとすることを決定し、それ以外の値であれば、ハズレとすることを決定する。一方、確率変動時においては、大当たり判定用乱数の値が１０２０〜１５１９、１３３２０〜１５００４であれば、大当たりとすることを決定し、それ以外の値であれば、ハズレとすることを決定する。
【００９５】
次に、大当たり種別の決定について説明する。図６（ｂ）及び図６（ｃ）は、ＲＯＭ５４に記憶されている大当たり種別判定用テーブルを示す図である。ここで、図６（ｂ）は、特別図柄表示器１０ｂで特別図柄の変動表示を行う場合に大当たり種別を決定するための大当たり種別判定用テーブルであり、図６（ｃ）は、特別図柄表示器１０ａで特別図柄の変動表示を行う場合に大当たり種別を決定するための大当たり種別判定用テーブルである。
【００９６】
特別図柄表示器１０ｂで特別図柄の変動表示を行う場合には、大当たり判定用乱数及び大当たり判定用テーブルに基づいて特別図柄の変動表示の結果を大当たりとする旨が決定された場合、さらに始動入賞時に抽出された乱数のうちの大当たり種別判定用乱数（ランダムＱ：０〜９）の値が０、３、５または７であれば確率変動大当たりと決定し、１であれば確変昇格大当たりと決定し、９であれば突然確変大当たりと決定し、２、４、６または８であれば時短大当たりと決定する。
【００９７】
一方、特別図柄表示器１０ａで特別図柄の変動表示を行う場合には、大当たり判定用乱数及び大当たり判定用テーブルに基づいて特別図柄の変動表示の結果を大当たりとする旨が決定された場合、さらに始動入賞時に抽出された乱数のうちの大当たり種別判定用乱数（ランダムＱ：０〜９）の値が３、５または７であれば確率変動大当たりと決定し、１であれば確変昇格大当たりと決定し、０または９であれば突然確変大当たりと決定し、２、４、６または８であれば時短大当たりと決定する。
【００９８】
ところで、確率変動状態では、３０分の１の確率で大当たりとなるが、新たな大当たりが発生するまで特別図柄の変動表示が実行される回数の制限なく、時短状態に制御される。時短状態では、可変入賞装置１５が開放状態にある割合が非常に高く、特別図柄表示器１０ａよりも優先される特別図柄表示器１０ｂにて特別図柄の変動表示を行わせるための始動入賞口１４ｂの入賞による保留記憶が途切れることが少ない。また、第１大当たり遊技状態に制御されている間の時間は非常に長いので、ほとんど例外なく、第１大当たり遊技状態が終了するまでに始動入賞口１４ａの入賞による保留記憶も、始動入賞口１４ｂの入賞による保留記憶も一杯になる。
【００９９】
特別図柄表示器１０ａで特別図柄の変動表示を行う場合に確率変動大当たりまたは確変昇格大当たりとなる確率は、大当たりとなった場合の２／５（＝４／１０）であるのに対して、特別図柄表示器１０ｂで特別図柄の変動表示を行う場合に確率変動大当たりまたは確変昇格大当たりとなる確率は、大当たりとなった場合の１／２（＝５／１０）もある。つまり、一旦確率変動大当たりまたは確変昇格大当たりが発生すると、それに基づく第１大当たり遊技状態が終了してから、さらに遊技者が多くの遊技球を獲得することができる第１大当たり遊技状態を介して次も確率変動状態となる割合が高いものとなる。
【０１００】
大当たり抽選及び大当たり種別抽選の結果が確定すると、これらの決定結果と変動種別判定用乱数の値に基づいて変動パターンの種別が決定され、さらに始動入賞時に抽出された変動パターン判定用乱数の値に基づいて変動パターンが決定されるものとなる。変動パターンの種別には、ハズレとすることが決定された場合には、非リーチハズレ、ノーマルリーチ、スーパーリーチの３種類がある。
【０１０１】
確率変動大当たり、確変昇格大当たりまたは時短大当たりとすることが決定された場合には、ノーマルリーチ、スーパーリーチの２種類がある。突然確変大当たりとすることが決定された場合には、突然確変の１種類であるが、これは、飾り図柄の変動に関しては非リーチハズレと基本的に同じものになる。なお、ノーマルリーチの種別に属する変動パターンのうちのロングリーチ、及びスーパーリーチの種別に属する各変動パターンでは、他の変動パターンよりも変動表示に要する時間が長いものとなっている。
【０１０２】
上記したように、特別図柄表示器１０ａ、１０ｂに第１、第２または第４特定表示結果が導出されると、すなわち確率変動大当たり、確変昇格大当たりまたは時短大当たりが発生すると、第１大当たり遊技状態に制御されるが、この確率変動大当たり、確変昇格大当たりまたは時短大当たりを発生させることとなる始動入賞が発生しても、そのときには先の始動入賞に基づいて特別図柄の（飾り図柄も）変動表示が行われていることもある。この場合は、始動入賞に基づいて変動表示を行う権利（始動入賞時に抽出された各種乱数）が保留記憶されるが、保留記憶されている旨が特別図柄保留記憶表示部１１ａ、１１ｂに表示されて、遊技者に報知されるものとなる。
【０１０３】
この特別図柄保留記憶表示部１１ａ、１１ｂへのアイコンの表示、可変表示装置９における飾り図柄の変動表示や大当たり演出は、表示制御基板８０の表示制御用ＣＰＵにより実行されるものとなっている。もっとも、これらのアイコンの表示や各種演出は、遊技の進行状況に沿って行われるものとなるため、上記各種の決定を含む主基板３１のＣＰＵ５６による遊技の進行状況に応じて、ＣＰＵ５６から表示制御基板８０の表示制御用ＣＰＵへと送信されるものとなっている。
【０１０４】
すなわち、始動入賞口１４ａまたは１４ｂに遊技球が入賞したときに、このときに抽出された大当たり判定用乱数により大当たりとなるか否か（さらに、大当たり種別判定用乱数により決定される大当たりの種別を含んでいてもよい）、及び変動種別判定用乱数の値により選択される変動パターンの種別、並びに遊技球が入賞した始動入賞口の種類と該始動入賞後の保留記憶数と対応付けた始動入賞コマンドが、主基板３１のＣＰＵ５６から表示制御基板８０の表示制御用ＣＰＵへと送信されるものとなっている。
【０１０５】
入賞口２９ａ〜２９ｄに遊技球が入賞したときに、入賞口の種類を示す通常入賞コマンドが主基板３１のＣＰＵ５６から表示制御基板８０の表示制御用ＣＰＵへと送信されるものとなっている。チャンスボタン１６が操作されたときには、その旨を示すチャンスボタンコマンドが主基板３１のＣＰＵ５６から表示制御基板８０の表示制御用ＣＰＵへと送信されるものとなっている。
【０１０６】
また、特別図柄表示器１０ａまたは１０ｂにて特別図柄の変動表示を開始させるときに、これを開始させた始動入賞と、この変動表示において大当たりとするか否か及び大当たり種別と、決定された変動パターンとを示す開始時コマンドが、主基板３１のＣＰＵ５６から表示制御基板８０の表示制御用ＣＰＵへと送信されるものとなっている。また、遊技状態が変化したときに、変化した後の遊技状態を示す遊技状態コマンドが、主基板３１のＣＰＵ５６から表示制御基板８０の表示制御用ＣＰＵへと送信されるものとなっている。
【０１０７】
また、特別図柄表示器１０ａまたは１０ｂに第１特定表示結果〜第６特定表示結果が導出されて、大当たり遊技状態に制御されたときには、各ラウンドが開始される度に当該ラウンド数を示す大当たりラウンドコマンドが、主基板３１のＣＰＵ５６から表示制御基板８０の表示制御用ＣＰＵへと送信されるものとなっている。各ラウンドが終了したときにも、ラウンドの終了を示すラウンド終了コマンドが、主基板３１のＣＰＵ５６から表示制御基板８０の表示制御用ＣＰＵへと送信されるものとなっている。
【０１０８】
さらに、パチンコ遊技機１の電源を立ち上げたときには、前回の電源遮断時のデータがクリアされずにＲＡＭ５５に記憶されていれば該電源遮断時の状態（始動入賞口１４ａ、１４ｂの保留記憶がある場合もあり）から、ＲＡＭ５５がクリアされていれば初期状態（始動入賞口１４ａ、１４ｂの何れの保留記憶の数も０）から、遊技の進行を開始させることとなるが、このときに、始動入賞口１４ａ、１４ｂの保留記憶数と遊技状態とを特定可能な情報を含む起動時コマンドが、主基板３１のＣＰＵ５６から表示制御基板８０の表示制御用ＣＰＵへと送信されるものとなっている。
【０１０９】
表示制御基板８０の表示制御用ＣＰＵは、開始時コマンドを受信すると、最終的に停止される飾り図柄の種類を選択し、開始時コマンドが示す変動パターンで飾り図柄を可変表示装置９において変動表示させた後、選択した種類の飾り図柄を可変表示装置９に表示して、変動表示の結果を示すものとしている。所定の変動パターン（例えば、ロングリーチやスーパーリーチなどの一定時間以上を要する変動パターン）で飾り図柄の変動表示が行われるときには、そのうちの所定の期間において、リーチ予告などの予告演出が行われる。
【０１１０】
予告演出には、複数種類のものがあるが、そのうちの１つとして、当該変動表示で確率変動大当たり、確変昇格大当たりまたは時短大当たりとなるか否かを特定可能なマーカー（但し、遊技者がマーカーから簡単に特定できるものではない）を可変表示装置９に表示し、携帯電話機３００の撮影装置３０７でマーカーが撮影されると、当該変動表示で確率変動大当たり、確変昇格大当たりまたは時短大当たりとなる信頼度が示される撮影予告が含まれる。
【０１１１】
図７は、パチンコ遊技機１において実行される予告演出の種類を選択するための予告演出の選択テーブルを示す図である。図示するように、予告演出の種類の選択割合は、当該変動表示で確率変動大当たり、確変昇格大当たりまたは時短大当たりとなるか否かに応じて異なるものとなっている。すなわち、確率変動大当たり、確変昇格大当たりまたは時短大当たりとなるときには、予告なし、予告Ａ、予告Ｂ、撮影予告が、それぞれａ０、ａ１、ａ２、ａ３の割合で選択される。一方、ハズレとなるとき（突然確変大当たりとなるときを含む）には、予告なし、予告Ａ、予告Ｂ、撮影予告が、それぞれｂ０、ｂ１、ｂ２、ｂ３の割合で選択される。
【０１１２】
ここで、予告演出の選択割合ａ０〜ａ３、ｂ０〜ｂ３は、ａ０＋ａ１＋ａ２＋ａ３＝１、ｂ０＋ｂ１＋ｂ２＋ｂ３＝１となっているが、ａ１＞ｂ１、ａ２＞ｂ２、ａ３＞ｂ３となっており、確率変動大当たり、確変昇格大当たりまたは時短大当たりとなるときの方が、ハズレとなるときよりも予告演出が実行される頻度が高いものとなっている。また、ａ３／（ａ３＋ｂ３）＞ａ２／（ａ２＋ｂ２）＞ａ１／（ａ１＋ｂ１）となっており、特に撮影予告が実行されたときに確率変動大当たり、確変昇格大当たりまたは時短大当たりとなる割合は非常に高く、その約半数が確率変動大当たり、確変昇格大当たりまたは時短大当たりとなるようにａ３、ｂ３の値が設定されている。
【０１１３】
図８は、飾り図柄の変動表示が行われているときにおいてパチンコ遊技機１の可変表示装置９に表示されるマーカーの表示態様を示す図である。マーカーには、２次元コードとキャラクタという異なる２つの種別のものがあり、撮影予告の実行が決定された場合において、そのうちの何れかが所定の割合（均等な割合でも異なる割合でもよい）で選択され、選択された種別のマーカーが、次に説明するような表示態様で可変表示装置９に表示されるものとなる。
【０１１４】
２次元コードのマーカーもキャラクタのマーカーも、その情報として、当該変動表示で確率変動大当たり、確変昇格大当たりまたは時短大当たりとなるか否かを示す情報と、可変表示装置９に表示された順序を示す情報とが含まれている。もっとも、２次元コードには、そもそも様々な種類のものがあり、コードのうちのどの部分が確率変動大当たり、確変昇格大当たりまたは時短大当たりとなるか否かを示しているのか、可変表示装置９に表示された順序を示しているのかを遊技者が判別することは実質的に不可能である。
【０１１５】
また、マーカーとして表示されるキャラクタも、微妙に形態が異なる様々な種類のものがあり、そのキャラクタの形態の差から、確率変動大当たり、確変昇格大当たりまたは時短大当たりとなるか否かと、可変表示装置９に表示された順序を遊技者が判別することが実質的に不可能なものとなっている。例えば、一見して変わりがないような形態の２種類のキャラクタにおいて、一方は確率変動大当たり、確変昇格大当たりまたは時短大当たりとなることを示し、他方は確率変動大当たり、確変昇格大当たりまたは時短大当たりとならないことを示しているという具合である。
【０１１６】
２次元コードがマーカーとして表示される場合もキャラクタがマーカーとして表示される場合も、マーカーの形態が異なる以外、表示の位置や時間などの態様に違いはないので、図８では、２次元コードがマーカーとして表示される場合を例として示している。なお、図８は、あくまでマーカーの表示態様の一例であり、各マーカーが表示される位置の軌跡には、様々なパターンが生じ得るものとなっている（表示される時間は、どのような軌跡となる場合も変わらない）。
【０１１７】
なお、図８（ａ）〜（ｆ）においては、マーカーを見やすくするため飾り図柄を描いていないが、実際は、変動表示されている飾り図柄も表示されている。また、図８（ａ）〜（ｆ）において、可変表示装置９に表示されるマーカーは、その順序を分かり易く示すために□の中に１，２，３という数字を描いて示しているが、実際に表示される□の中は２次元コードであり、数字が描かれている訳ではない。
【０１１８】
まず、図８（ａ）に示すように、可変表示装置９において飾り図柄の変動表示が開始される。次に、図８（ｂ）に示すように、その所定時間の後に、１番目のマーカー４０１が可変表示装置９上の任意の位置から表示開始され、その表示位置を移動させていく。図８（ｃ）に示すように、１番目のマーカー４０１が表示開始されてから所定時間の後に、２番目のマーカー４０２も可変表示装置９上の任意の位置から表示開始され、その表示位置を移動させていく。さらに、図８（ｄ）に示すように、２番目のマーカー４０２が表示開始されてから所定時間の後に、３番目のマーカー４０３も可変表示装置９上の任意の位置から表示開始され、その表示位置を移動させていく。マーカー４０１〜４０３は、何れも所定の大きさで表示される。
【０１１９】
その後、図８（ｅ）〜（ｇ）にそれぞれ示すように、３番目のマーカー４０３の表示開始から所定時間の後に、１番目に表示開始されたマーカー４０１が可変表示装置９から表示消去され、さらにそこから所定時間の後に、２番目に表示開始されたマーカー４０２が可変表示装置９から表示消去され、さらにそこから所定時間の後に、３番目に表示開始されたマーカー４０３も可変表示装置９から表示消去される。この間の時間は、数秒程度であり、遊技者は、可変表示装置９で移動表示されているマーカー４０１〜４０３を追いかけて携帯電話機３００の撮影装置３０７を向け、マーカー４０１〜４０３の画像を静止画像として撮影して携帯電話機３００内に取り込ませる必要がある。
【０１２０】
２次元コードのマーカーもキャラクタのマーカーも、携帯電話機３００の撮影装置３０７によって所定の大きさ以上で、大きなブレが生じることなく撮影された場合には、携帯電話機３００のアプリケーションプログラムにより撮影されたマーカーの画像を解析することで、当該変動表示で確率変動大当たり、確変昇格大当たりまたは時短大当たりとなるか否かと、各マーカーが可変表示装置９に表示された順序とを特定することができるものとなっている。
【０１２１】
撮影装置３０７によって撮影されたマーカーが小さすぎたりブレが生じていた場合には、当該変動表示で確率変動大当たり、確変昇格大当たりまたは時短大当たりとなるか否かと、可変表示装置９に表示された順序とを特定できないこともある。なお、可変表示装置９には同時に２または３のマーカーが表示され得るが、複数のマーカーを同時に撮影装置３０７で撮影しても、当該変動表示で確率変動大当たり、確変昇格大当たりまたは時短大当たりとなるか否かと、可変表示装置９に表示された順序を特定できるようにはならず、これらを特定できるようにするためには、マーカーを１つずつ撮影しなければならない。
【０１２２】
携帯電話機３００においては、上記のようにパチンコ遊技機１の可変表示装置９に表示されたマーカーが撮影されると、撮影されたマーカーに応じて、当該変動表示で確率変動大当たり、確変昇格大当たりまたは時短大当たりとなる信頼度を表示装置３０６に表示して遊技者に示すものとしている。もっとも、表示装置３０６に表示される信頼度は、当該変動表示で確率変動大当たり、確変昇格大当たりまたは時短大当たりとなる信頼度を正しく示しているとは限らない。これは、次のようなテーブルに従って表示される信頼度（予告内容）が選択されるからである。
【０１２３】
図９は、携帯電話機３００のアプリケーションプログラムのデータとしてＲＯＭ３０２に記憶される予告内容選択テーブルを示す図である。予告内容選択テーブルとしては、マーカーの種別が２次元コードである場合に適用されるものと、マーカーの種別がキャラクタである場合に適用されるものとが別々に用意されており、それぞれを図９（ａ）、図９（ｂ）において示している。
【０１２４】
予告内容選択テーブルに従って選択される予告内容には、確率変動大当たり、確変昇格大当たりまたは時短大当たりとなる信頼度が高い／中程度／低いの３種類があるが、これらは、携帯電話機３００の撮影装置３０７によって撮影したマーカーの数及び順序（１個、２個、３個順序違い、３個順序通り）と、携帯電話機３００の撮影装置３０７によって撮影したマーカーから当該変動表示で確率変動大当たり、確変昇格大当たりまたは時短大当たりとなることが特定されたか否かに応じて、選択されるものとなる。
【０１２５】
図９（ａ）に示すマーカーの種別が２次元コードである場合の予告内容選択テーブルでは、携帯電話機３００の撮影装置３０７によって撮影したマーカーから当該変動表示で確率変動大当たり、確変昇格大当たりまたは時短大当たりとなることが特定される場合には、確率変動大当たり、確変昇格大当たりまたは時短大当たりとなる信頼度が高い／中程度／低いが、マーカーの数が１個の場合はそれぞれＡ１、Ａ２、Ａ３の割合で、マーカーの数が２個の場合はそれぞれＡ４、Ａ５、Ａ６の割合で、マーカーの数が３個で順序違いの場合にはそれぞれＡ７、Ａ８、Ａ９の割合で、マーカーの数が３個で順序通りの場合にはそれぞれ１、０、０の割合で選択される。
【０１２６】
携帯電話機３００の撮影装置３０７によって撮影したマーカーから当該変動表示で確率変動大当たり、確変昇格大当たりまたは時短大当たりとならないことが特定される場合には、確率変動大当たり、確変昇格大当たりまたは時短大当たりとなる信頼度が高い／中程度／低いが、マーカーの数が１個の場合はそれぞれＢ１、Ｂ２、Ｂ３の割合で、マーカーの数が２個の場合はそれぞれＢ４、Ｂ５、Ｂ６の割合で、マーカーの数が３個で順序違いの場合にはそれぞれＢ７、Ｂ８、Ｂ９の割合で、マーカーの数が３個で順序通りの場合にはそれぞれ０、０、１の割合で選択される。
【０１２７】
また、図９（ｂ）に示すマーカーの種別がキャラクタである場合の予告内容選択テーブルでは、携帯電話機３００の撮影装置３０７によって撮影したマーカーから当該変動表示で確率変動大当たり、確変昇格大当たりまたは時短大当たりとなることが特定される場合には、確率変動大当たり、確変昇格大当たりまたは時短大当たりとなる信頼度が高い／中程度／低いが、マーカーの数が１個の場合はそれぞれＡ１、Ａ２、Ａ３の割合で、マーカーの数が２個の場合はそれぞれＡ４’（≠Ａ４）、Ａ５’（≠Ａ５）、Ａ６’（≠Ａ６）の割合で、マーカーの数が３個で順序違いの場合にはそれぞれＡ７’（≠Ａ７）、Ａ８’（≠Ａ８）、Ａ９’（≠Ａ９）の割合で、マーカーの数が３個で順序通りの場合にはそれぞれ１、０、０の割合で選択される。
【０１２８】
携帯電話機３００の撮影装置３０７によって撮影したマーカーから当該変動表示で確率変動大当たり、確変昇格大当たりまたは時短大当たりとならないことが特定される場合には、確率変動大当たり、確変昇格大当たりまたは時短大当たりとなる信頼度が高い／中程度／低いが、マーカーの数が１個の場合はそれぞれＢ１、Ｂ２、Ｂ３の割合で、マーカーの数が２個の場合はそれぞれＢ４’（≠Ｂ４）、Ｂ５’（≠Ｂ５）、Ｂ６’（≠Ｂ６）の割合で、マーカーの数が３個で順序違いの場合にはそれぞれＢ７’（≠Ｂ７）、Ｂ８’（≠Ｂ８）、Ｂ９’（≠Ｂ９）の割合で、マーカーの数が３個で順序通りの場合にはそれぞれ０、０、１の割合で選択される。
【０１２９】
ここで、選択割合Ａ１〜Ａ９、Ａ４’〜Ａ９’には、Ａ１＜Ａ４＜Ａ７＜１、Ａ３＞Ａ６＞Ａ９＞０、Ａ１＜Ａ４’＜Ａ７’＜１、Ａ３＞Ａ６’＞Ａ９’＞０という関係があり、実際に確率変動大当たり、確変昇格大当たりまたは時短大当たりとなる場合に信頼度が高いと報知される割合は、マーカーの数が多いほど高く、また、マーカーの数が同じ３個であれば順序通りに撮影したときの方が高いものとなっている。一方、信頼度が低いと報知される割合は、マーカーの数が多いほど低く、マーカーの数が同じ３個であれば順序通りに撮影したときの方が低いものとなっている。
【０１３０】
また、選択割合Ｂ１〜Ｂ９、Ｂ４’〜Ｂ９’には、Ｂ１＞Ｂ４＞Ｂ７＞０、Ｂ３＜Ｂ６＜Ｂ９＜１、Ｂ１＞Ｂ４’＞Ｂ７’＞０、Ｂ３＜Ｂ６’＜Ｂ９’＜１という関係があり、実際にハズレとなる場合（突然確変大当たりとなる場合を含む）に信頼度が低いと報知される割合は、マーカーの数が多いほど高く、また、マーカーの数が同じ３個であれば順序通りに撮影したときの方が高いものとなっている。一方、信頼度が高いと報知される割合は、マーカーの数が多いほど低く、マーカーの数が同じ３個であれば順序通りに撮影したときの方が低いものとなっている。
【０１３１】
このように携帯電話機３００の表示装置３０６に表示される予告内容が実際に確率変動大当たり、確変昇格大当たりまたは時短大当たりとなるか否かに応じたものであることの正確性（情報としての信憑性）は、携帯電話機３００の撮影装置３０７によって撮影したマーカーの数が多いほど、マーカーの数が同じ３個であれば順序通りに取得されたときの方が高いものとなっている。
【０１３２】
また、選択割合Ａ４〜Ａ９の各値は、選択割合Ａ４’〜Ａ９’の各値とは異なり、選択割合Ｂ４〜Ｂ９の各値は、選択割合Ｂ４’〜Ｂ９’の各値とは異なっている。このため、可変表示装置９に表示されたマーカーの種別が２次元コードであった場合とキャラクタであった場合とでは、携帯電話機３００の撮影装置３０７によって撮影したマーカーの数が２個であるときと３個で順序違いであるときとにおいて、予告内容の情報としての信憑性が異なるものとなっている。
【０１３３】
なお、上記の選択割合Ａ１〜Ａ９、Ａ４’〜Ａ９’、Ｂ１〜Ｂ９、Ｂ４’〜Ｂ９’は、予告内容の信憑性を携帯電話機３００の撮影装置３０７によって撮影したマーカーの数、順序に応じて変化させるものの、信頼度が高いと示された場合の全体で確率変動大当たり、確変昇格大当たりまたは時短大当たりとなることの割合は、信頼度が中程度と示された場合の全体で確率変動大当たり、確変昇格大当たりまたは時短大当たりとなることの割合よりも高く、信頼度が中程度と示された場合の全体で確率変動大当たり、確変昇格大当たりまたは時短大当たりとなることの割合は、信頼度が低いと示された場合の全体で確率変動大当たり、確変昇格大当たりまたは時短大当たりとなることの割合よりも高くなるという前提を失わない範囲の値に定められている。
【０１３４】
ところで、携帯電話機３００の撮影装置３０７によって撮影したマーカーは、撮影から一定期間（１回の変動表示において可変表示装置９に１個目のマーカーが表示開始されてから３個目のマーカーが表示消去されるまでの期間よりも極僅かに長い期間）を経過すると、その有効期限が過ぎて破棄されるものとなっている。但し、マーカーが破棄されても、マーカに基づく信頼度の表示は継続される。
【０１３５】
また、有効期限内のマーカーがＲＡＭ３０３に複数記憶されている場合において、各マーカーから特定される当該変動表示で確率変動大当たり、確変昇格大当たりまたは時短大当たりとなるか否かの情報が全て一致しないとき、或いは各マーカーの種別が全て一致しないときには、当該変動表示で確率変動大当たり、確変昇格大当たりまたは時短大当たりとなる信頼度の表示は行われず、表示装置３０６に所定のエラー表示がなされる。当該変動表示で確率変動大当たり、確変昇格大当たりまたは時短大当たりとなるか否かの情報が一致しない、或いは種別が一致しない複数のマーカーがＲＡＭ３０３に記憶されたときには、これらのマーカーは、エラー表示が行われた後に全て破棄されるものとなっている。
【０１３６】
以下、この実施の形態にかかる遊技システムにおける処理について説明する。この実施の形態にかかる遊技システムを構成するパチンコ遊技機１は、この実施の形態にかかる遊技システムを体系的に使用するか否かに関わらず、単独でも遊技を行えるものである。そこで、遊技システム全体における処理を説明する前に、パチンコ遊技機１において遊技の進行のために行われる処理について説明する。
【０１３７】
まず、電源起動時の処理について説明する。リセットスイッチ９３をＯＮ状態とした状態でメインスイッチ９４をＯＮ状態としてパチンコ遊技機１を起動すると、ＲＡＭ５５の格納領域のうち使用中スタック領域を除く全ての格納領域を初期化する。ここで、ＲＡＭ５５が初期化されたときには、確率変動状態にも時短状態にも制御されていない遊技状態となる。そして、遊技を進行させるための処理を開始させることができる。
【０１３８】
一方、リセットスイッチ９３をＯＦＦ状態でメインスイッチ９４をＯＮ状態としてパチンコ遊技機１を起動した場合は、ＲＡＭ５５のデータが壊れているかどうかを診断し、ＲＡＭ５５のデータが壊れていなかった場合、すなわち前回のパチンコ遊技機１の電源をＯＦＦしたときのデータが正常なままで残っている場合には、ＲＡＭ５５に記憶されているデータはそのままとして、前回にパチンコ遊技機１の電源をＯＦＦしたときの状態から、遊技を進行させるための処理を開始させることができる。
【０１３９】
パチンコ遊技機１において遊技を進行させるための処理は、２ｍｓ毎に実行されるタイマ割り込みに従って実行される。なお、打球操作ハンドル５の操作に基づく遊技領域７への遊技球の発射だけは、２ｍｓ毎のタイマ割り込み処理とは独立して行われるものとなっている。
【０１４０】
図１０は、ＣＰＵ５６が実行するメイン処理にて２ｍｓ毎に実行されるタイマ割込処理を示すフローチャートである。タイマ割込が発生すると、ＣＰＵ５６は、レジスタの退避処理（ステップＳ２１）を行った後、ステップＳ２２〜Ｓ３６の遊技制御処理を実行する。遊技制御処理において、ＣＰＵ５６は、まず、スイッチ回路３２を介して、ゲートスイッチ６１、始動口スイッチ６２ａ、６２ｂ、カウントスイッチ６３、クリアスイッチ６５、等のスイッチの検出信号を入力し、それらの状態を判定するスイッチ処理を行う（ステップＳ２２）。
【０１４１】
次に、遊技制御に用いられる大当たり判定用の乱数、大当たり種別判定用乱数、確率変動終了判定用乱数等の各判定用乱数を生成するための各カウンタのカウント値を更新する処理を行う（ステップＳ２３）。ＣＰＵ５６は、更に、初期値用乱数を生成するためのカウンタのカウント値を更新する処理（ステップＳ２４）及び表示用乱数を生成するためのカウンタのカウント値を更新する処理を行う（ステップＳ２５）。
【０１４２】
更に、ＣＰＵ５６は、特別図柄プロセス処理を行う（ステップＳ２６）。特別図柄プロセス処理では、遊技状態に応じて特別図柄表示器１０ａ、１０ｂ、可変表示装置９、特別可変入賞装置２０、等を所定の順序で制御するための特別図柄プロセスフラグに従って該当する処理が選び出されて実行される。そして、特別図柄プロセスフラグの値は、遊技状態に応じて各処理中に更新される。
【０１４３】
また、普通図柄プロセス処理を行う（ステップＳ２７）。普通図柄プロセス処理では、普通図柄表示器１２の表示状態を所定の順序で制御するための普通図柄プロセスフラグに従って該当する処理が選び出されて実行される。そして、普通図柄プロセスフラグの値は、遊技状態に応じて各処理中に更新される。普通図柄プロセス処理を実行することにより普通図柄表示器１２の表示制御および可変入賞装置１５の開閉制御が実行される。
【０１４４】
次いで、ＣＰＵ５６は、特別図柄プロセス処理でＲＡＭ５５の所定の領域に設定され、可変表示装置９等において各種演出を行うためのコマンドを表示制御基板８０に送出する特別図柄コマンド制御処理を行う（ステップＳ２８）。また、普通図柄プロセス処理でＲＡＭ５５の所定の領域に設定された普通図柄に関するコマンドを送出する普通図柄コマンド制御処理を行う（ステップＳ２９）。
【０１４５】
更に、ＣＰＵ５６は、例えばホール管理用コンピュータに供給される大当たり情報、始動情報、確率変動情報などのデータを出力する情報出力処理を行う（ステップＳ３０）。
【０１４６】
また、ＣＰＵ５６は、始動口スイッチ６２ａ、６２ｂ、カウントスイッチ６３等の検出信号に基づく賞球個数の設定などを行う賞球処理を実行する（ステップＳ３１）。具体的には、始動口スイッチ６２ａ、６２ｂ、カウントスイッチ６３等の何れかがオンしたことに基づく入賞検出に応じて、払出制御基板３６に賞球個数を示す払出制御コマンドを出力する。払出制御基板３６に搭載されている払出制御用ＣＰＵは、賞球個数を示す払出制御コマンドに応じて球払出装置４４を駆動する。
【０１４７】
そして、ＣＰＵ５６は、保留記憶数の増減をチェックする記憶処理を実行する（ステップＳ３２）。記憶処理においては、始動口スイッチ６２ａ、６２ｂの検出信号に基づいて大当たり判定用乱数等の各種乱数を抽出し、抽出した乱数の値を始動口スイッチ６２ａ、６２ｂの別に保留記憶させる。また、抽出した各種乱数の値等を示すコマンドを送出する処理も行う。
【０１４８】
また、遊技機の制御状態を遊技機外部で確認できるようにするための試験信号を出力する処理である試験端子処理を実行する（ステップＳ３３）。更に、所定の条件が成立したときにソレノイド回路３３に駆動指令を行う（ステップＳ３４）。可変入賞装置１５、特別可変入賞装置２０、を開放状態または閉鎖状態としたり、大入賞口２１内の遊技球通路を切り替えたりするために、ソレノイド回路３３は、駆動指令に応じてソレノイド７１〜７３を駆動する。その後、レジスタの内容を復帰させ（ステップＳ３５）、割込許可状態に設定する（ステップＳ３６）。
【０１４９】
次に、ステップＳ２６の特別図柄プロセス処理について説明する。特別図柄プロセス処理では、ＣＰＵ５６は、まず、遊技盤６に設けられている始動入賞口１４ａ、１４ｂに遊技球が入賞したことを検出するための始動口スイッチ６２がオンしているかどうか、すなわち遊技球が始動入賞口１４ａ、１４ｂに入賞する始動入賞が発生しているかどうかを判定し、始動入賞が発生していたら始動口スイッチ通過処理を行う。始動口スイッチ通過処理では、大当たり判定用乱数、大当たり種別判定用乱数、変動種別判定用乱数、変動パターン判定用乱数、及び確率変動終了判定用乱数を抽出して始動入賞口１４ａ、１４ｂの各々に対応する保留記憶バッファに記憶させる（但し、保留記憶バッファが満杯のときは、抽出した乱数を破棄する）とともに、抽出した乱数の値と遊技球が入賞した始動入賞口の種類を始動入賞毎の識別情報と対応付けたコマンドを表示制御基板８０へと送信する。
【０１５０】
その後、特別図柄プロセスフラグの状態に応じて、次に説明する特別図柄通常処理、変動パターン設定処理、特別図柄変動処理、特別図柄停止処理、大入賞口開放前処理、大入賞口開放中処理、大当たり終了処理の何れかの処理を行う。
【０１５１】
特別図柄通常処理：特別図柄の変動表示を開始できる状態になると開始される処理であり、ＣＰＵ５６は、保留記憶バッファに記憶される数値データの記憶数（保留記憶数）を確認する。保留記憶カウンタのカウント値が０でなければ、確率変動状態に制御されていれば確率変動終了判定用乱数の値に基づいて確率変動状態を終了させるか否か、大当たり判定用乱数の値に基づいて大当たりとするか否か（特定表示結果とするか否か）を決定し、大当たりとする場合には、確変回数カウンタの値と大当たり種別判定用乱数の値に基づいて大当たりの種別も決定する。始動入賞口１４ａ、１４ｂの何れについても保留記憶カウンタの値が０でないときには、始動入賞口１４ｂの保留記憶から優先して大当たり等の決定が行われる。なお、特別図柄通常処理の詳細については後述する。
【０１５２】
変動パターン設定処理：特別図柄表示器１０ａ、１０ｂにおける特別図柄の変動パターン種別を、始動入賞時に抽出した変動種別判定用乱数の値と保留記憶の数とに応じて選択する。そして、選択した変動パターンの種別と始動入賞発生時に抽出した変動パターン判定用乱数の値に応じて予め定められた複数種類の変動パターンの中から選択する。決定された変動パターンと時短状態に制御されているか否かに基づいて、特別図柄の変動時間を特別図柄プロセスタイマ（ダウンタイマにより構成される）にセットした後、特別図柄プロセスタイマをスタートさせる。このとき、特別図柄表示器１０ａまたは１０ｂに特別図柄の変動表示開始を指示する信号を出力するとともに、選択した変動パターンを示すコマンドと大当たりとするか否か及び大当たり種別を示すコマンドとを、直後の特別図柄コマンド制御処理（ステップＳ２８）で表示制御基板８０に対して送信される状態に設定する。
【０１５３】
特別図柄変動処理：変動パターン設定処理で選択された変動パターンに応じて変動時間のセットされた特別図柄プロセスタイマの計時時間を監視し、当該変動時間が経過して特別図柄プロセスタイマがタイムアウトすると、次に特別図柄停止処理に移行させるよう制御を行う。
【０１５４】
特別図柄停止処理：特別図柄表示器１０ａ、１０ｂにて変動表示する特別図柄の変動表示を停止するとともに、時短状態に制御されているときには、時短状態での変動表示が実行された回数をカウントし、１００回となっていたならば時短状態を終了させる。また、特別図柄の停止を示す信号を特別図柄表示器１０ａ、１０ｂに出力される状態に設定するとともに、図柄の停止を示すコマンドを、直後の特別図柄コマンド制御処理（ステップＳ２８）で表示制御基板８０に送信される状態に設定する。
【０１５５】
大入賞口開放前処理：大当たり後に最初にこの処理が行われるときには大入賞口２１のラウンド数を設定し、ラウンド数表示器１９にラウンド数を表示させた後、大入賞口２１を開放する制御を開始する。具体的には、ソレノイド７２を駆動して大入賞口２１を開放状態として特別可変入賞装置２０を開放状態とする。また、大入賞口２１の開放されたラウンド数をカウントすると共に、開放タイマによって大入賞口開放中処理の実行時間を設定する。
【０１５６】
大入賞口開放中処理：第１大当たり遊技状態中および第２大当たり遊技状態中のラウンド表示のためのコマンド（ラウンドの開始時におけるラウンド数を示すコマンド、及び各ラウンドの終了を示すコマンド）を、直後の特別図柄コマンド制御処理（ステップＳ２８）で表示制御基板８０に送信される状態に設定する処理や、大入賞口２１の閉成条件の成立を確認する処理等を行う。
【０１５７】
大当たり終了処理：第１大当たり遊技状態または第２大当たり遊技状態が終了したことを示すコマンドを、直後の特別図柄コマンド制御処理（ステップＳ２８）で表示制御基板８０に送信される状態に設定する。
【０１５８】
一方、表示制御基板８０などのサブ側の各種基板においては、主基板３１の基本回路５３から送信されたコマンドに基づいて、特別図柄の変動表示に合わせて可変表示装置９において飾り図柄を変動表示させる処理やリーチ予告、或いは第１大当たり遊技状態に制御されているときに大当たり演出を実行する処理を行う。図１１は、表示制御基板８０の表示制御用ＣＰＵが実行するメイン処理を示すフローチャートである。
【０１５９】
このメイン処理では、まず、表示制御基板８０に搭載された表示制御用マイクロコンピュータに含まれるＲＡＭのうちで必要な領域を初期化する初期化処理を行う（ステップＳ７０１）。次に、所定時間（例えば３３ｍｓ（可変表示装置９の１フレーム期間））毎に実行されるタイマ割り込み処理によってセットされるタイマ割り込みフラグの状態が１となっているかどうかを判定し（ステップＳ７０２）、タイマ割り込みフラグの状態が１となるまでステップＳ７０２の処理を繰り返して行う。
【０１６０】
タイマ割り込みフラグの状態が１となっている後、まず、このタイマ割り込みフラグを０にクリアし（ステップＳ７０３）、主基板３１の基本回路５３から送信されたコマンドを受信したかどうかをチェックし、コマンドを受信している場合には、その内容を解析するコマンド解析処理を実行する（ステップＳ７０４）。
【０１６１】
次に、コマンド解析処理におけるコマンドの解析結果に基づいて、可変表示装置９において飾り図柄を変動表示させたり、大当たり演出を実行させたりする演出制御プロセス処理を実行する（ステップＳ７０５）。また、コマンドの解析結果に基づいて、飾り図柄の変動表示や大当たり演出以外の各種演出（マーカーの表示を含む）を実行させる予告制御プロセス処理を実行する（ステップＳ７０６）。さらに、予告態様判定用乱数などの乱数を更新する乱数更新処理を実行して（ステップＳ７０７）、ステップＳ７０２の処理に戻る。
【０１６２】
このようなパチンコ遊技機１における処理において、飾り図柄の変動表示毎に可変表示装置９にマーカーが順次表示されると、遊技者は、自己が利用する携帯電話機３００の撮影装置３０７を表示されているマーカーに向けて、その画像を撮影する。そして、撮影されたマーカーの画像に基づいて、携帯電話機３００のアプリケーションプログラムによる処理が行われ、当該変動表示で確率変動大当たり、確変昇格大当たりまたは時短大当たりとなることの信頼度が表示装置３０６に表示されるものとなる。
【０１６３】
図１２は、この実施の形態にかかる遊技システムにおいて、携帯電話機３００のアプリケーションプログラムにより実行される処理を示すフローチャートである。ＣＰＵ３０１は、撮影装置３０７によって新たなマーカーの画像が撮影されてＲＡＭ３０３に記憶されると、そのマーカーの画像認識を行い、当該マーカーに含まれている情報（マーカーの種別、マーカーの順序、及び確率変動大当たり、確変昇格大当たりまたは時短大当たりとなるか否か）を解析する（ステップＳ１０１）。
【０１６４】
次に、ＣＰＵ３０１は、ステップＳ１０１で今回画像認識を行ったマーカーが当該変動表示で確率変動大当たり、確変昇格大当たりまたは時短大当たりとなることを示しているか否かを特定し、今回特定した結果が、前回以前に画像認識を行って既にＲＡＭ３０３に記憶されているマーカーにより当該変動表示で確率変動大当たり、確変昇格大当たりまたは時短大当たりとなることを示しているか否かを特定した結果と一致しないものとならないかを判定する（ステップＳ１０２）。
【０１６５】
今回画像認識を行ったマーカーと前回以前に画像認識を行ったマーカーとで当該変動表示で確率変動大当たり、確変昇格大当たりまたは時短大当たりとなることを示しているか否かを特定した結果が一致している場合には、ＣＰＵ３０１は、ステップＳ１０１で今回画像認識を行ったマーカーの種別を特定し、前回以前に画像認識を行って既にＲＡＭ３０３に記憶されているマーカーについて特定された種別と一致しないものとならないかを判定する（ステップＳ１０３）。
【０１６６】
ステップＳ１０２で今回画像認識を行ったマーカーと前回以前に画像認識を行ったマーカーとで当該変動表示で確率変動大当たり、確変昇格大当たりまたは時短大当たりとなることを示しているか否かを特定した結果が一致していない場合、或いは、ステップＳ１０３で今回画像認識を行ったマーカーと前回以前に画像認識を行ったマーカーとで種別が一致しない場合には、ＣＰＵ３０１は、表示装置３０６に所定のエラー表示をさせる（ステップＳ１０４）。その後、ＲＡＭ３０３に記憶されているマーカーを全て破棄して（ステップＳ１０５）、処理を終了する。
【０１６７】
ステップＳ１０３で今回画像認識を行ったマーカーと前回以前に画像認識を行ったマーカーとで種別が一致する場合には、ＣＰＵ３０１は、これまでに撮影装置３０７により撮影されてＲＡＭ３０３に記憶されているマーカーの数、及びマーカーが３個ある場合には各マーカーが撮影された順序（可変表示装置９に表示された順序通りか表示された順序と違うか）を判定する（ステップＳ１０６）。
【０１６８】
ＣＰＵ３０１は、ステップＳ１０６で判定したマーカーの数及び各マーカーが撮影された順序、ステップＳ１０２で特定された当該変動表示で確率変動大当たり、確変昇格大当たりまたは時短大当たりとなることを示しているか否か、ステップＳ１０３で特定されたマーカーの種別に応じて図９（ａ）または（ｂ）の予告内容選択テーブルを参照し、予告内容の選択のために抽出された所定の乱数に従って、表示装置３０６に表示すべき予告内容（確率変動大当たり、確変昇格大当たりまたは時短大当たりとなる信頼度が高い／中程度／低い）を選択する（ステップＳ１０７）。
【０１６９】
ＣＰＵ３０１は、ステップＳ１０７で選択した予告内容（確率変動大当たり、確変昇格大当たりまたは時短大当たりとなる信頼度が高い／中程度／低い）に応じた画像を表示装置３０６に表示させ、当該変動表示で確率変動大当たり、確変昇格大当たりまたは時短大当たりとなるか否かの信頼度を、遊技者に報知する（ステップＳ１０８）。その後、ＣＰＵ３０１は、ＲＡＭ３０３に既に３個のマーカーが記憶されているかを判定する（ステップＳ１０９）。３個のマーカーが記憶されていれば、ＣＰＵ３０１は、ＲＡＭ３０３に記憶されているマーカーを全て破棄して（ステップＳ１１０）、処理を終了する。
【０１７０】
ＲＡＭ３０３に記憶されているマーカーが未だ３個となっていなければ、ＣＰＵ３０１は、ＲＡＭ３０３に最初のマーカーが記憶されてから一定期間を経過し、マーカーの有効期限を経過しているか否かを判定する（ステップＳ１１１）。マーカーの有効期限を経過していなければ、ステップＳ１０１の処理に戻る。マーカーの有効期限を経過していれば、ＣＰＵ３０１は、ＲＡＭ３０３に記憶されているマーカーを全て破棄して（ステップＳ１１２）、処理を終了する。
【０１７１】
以下、この実施の形態にかかる遊技システムにおいて、パチンコ遊技機１における飾り図柄の変動表示の開始から携帯電話機に予告内容を表示するまでの実行を、具体的な例に基づいて説明する。図１３は、この実施の形態において、パチンコ遊技機１における飾り図柄の変動表示の開始から携帯電話機に予告内容を順に表示するまでの実行例を示す図である。まず、図１３（ａ）に示すように、パチンコ遊技機１の可変表示装置９において飾り図柄の変動表示が開始される。この変動表示が開始されるときにおいて、当該変動表示で撮影予告を行うことが決定されたものとする。
【０１７２】
次に、図１３（ｂ）に示すように、可変表示装置９にマーカー４０１、４０２が表示されるが、この間において、遊技者が自己の携帯電話機３００の撮影装置３０７を１番目のマーカー４０１に向けて、これを撮影したものとする。すると、携帯電話機３００の表示装置３０６には、撮影した画像である１番目のマーカー４０１の画像が一旦表示された後、この１番目のマーカーに従って選択された予告内容（ここでは、当該変動表示で確率変動大当たり、確変昇格大当たりまたは時短大当たりとなる信頼度が低い）が表示される。
【０１７３】
次に、図１３（ｃ）に示すように、可変表示装置９にはマーカー４０１、４０２の画像に加えてマーカー４０３の画像が表示されるが、この間において、遊技者が自己の携帯電話機３００の撮影装置３０７を２番目のマーカー４０２に向けて、これを撮影したものとする。すると、携帯電話機３００の表示装置３０６には、撮影した画像である２番目のマーカー４０２の画像が一旦表示された後、既に撮影した１番目のマーカーと２番目のマーカーの合計２個のマーカーに従って選択された予告内容（ここでは、当該変動表示で確率変動大当たり、確変昇格大当たりまたは時短大当たりとなる信頼度が中程度）が表示される。
【０１７４】
次に、図１３（ｄ）に示すように、可変表示装置９からマーカー４０１の画像が表示消去されるものの、未だマーカー４０２、４０３の画像が表示されている間において、遊技者が自己の携帯電話機３００の撮影装置３０７を３番目のマーカー４０３に向けて、これを撮影したものとする。すると、携帯電話機３００の表示装置３０６には、撮影した画像である３番目のマーカー４０３の画像が一旦表示された後、既に撮影した１番目〜３番目の合計３個が順序通りに撮影されたことに従って選択された予告内容（ここでは、当該変動表示で確率変動大当たり、確変昇格大当たりまたは時短大当たりとなる信頼度が高い）が表示される。
【０１７５】
３個のマーカーが順序通りに撮影されて当該変動表示で確率変動大当たり、確変昇格大当たりまたは時短大当たりとなる信頼度が高いと表示されるのは、当該変動表示で実際に確率変動大当たり、確変昇格大当たりまたは時短大当たりとなる場合だけであるので、図１３（ｅ）に示すように、当該変動表示が終了したときに大当たりの表示態様（ここでは、７−７−７）が可変表示装置９に表示されるものとなる。
【０１７６】
以上説明したように、この実施の形態にかかる遊技システムでは、パチンコ遊技機１において行われる飾り図柄の変動表示毎に当該変動表示で確率変動大当たり、確変昇格大当たりまたは時短大当たりとするか否かが決定されるが、撮影予告を行うことが決定された変動表示においては、飾り図柄の変動表示の開始からの一定期間において３つのマーカー４０１〜４０３が可変表示装置９に表示される。これらのマーカー４０１〜４０３は、それぞれが当該変動表示において確率変動大当たり、確変昇格大当たりまたは時短大当たりとなるか否かを特定可能な情報を含んでいる。
【０１７７】
また、パチンコ遊技機１において遊技を行う遊技者が、このように可変表示装置９に表示されたマーカー４０１〜４０３を自己の携帯電話機３００の撮影装置３０７により撮影すると、撮影されたマーカー４０１〜４０３に基づいて、当該変動表示で確率変動大当たり、確変昇格大当たりまたは時短大当たりとなる信頼度が表示装置３０６に表示されて、これが遊技者に報知されるものとなる。ここで、報知される信頼度は、必ずしも当該変動表示で確率変動大当たり、確変昇格大当たりまたは時短大当たりとなるかの割合に応じたものではない。つまり、携帯電話機３００により撮影されたマーカーの数が多くなるほど、報知された信頼度の情報としての信憑性が高くなる。
【０１７８】
このようにパチンコ遊技機１において飾り図柄の変動表示が開始されてからの一定期間において、遊技者の携帯電話機３００に当該変動表示で確率変動大当たり、確変昇格大当たりまたは時短大当たりとなる信頼度を表示させるために、パチンコ遊技機１の可変表示装置９に表示されたマーカー４０１〜４０３を１回・１個だけ撮影するのではなく、表示された３つのマーカー４０１〜４０３をなるべく多く取得することにメリットが生まれるので、マーカー４０１〜４０３の撮影の作業を単純なものとせず、これに面白みを生じさせるものとすることができる。
【０１７９】
また、パチンコ遊技機１の可変表示装置９に表示された３個のマーカー４０１〜４０３のうちで実際に撮影されたマーカー４０１〜４０３の数に応じて表示装置３０６に表示される当該変動表示で確率変動大当たり、確変昇格大当たりまたは時短大当たりとなる信頼度の情報としての信憑性に変化が生じるので、信頼度の報知が単純なものとならず、その内容に面白みを生じさせることができる。
【０１８０】
また、撮影予告が行われるときに表示されるマーカー４０１〜４０３は、パチンコ遊技機１の可変表示装置９上の異なる位置において、それぞれ移動しながら表示されるものとなっている。マーカー４０１〜４０３は、それぞれ可変表示装置９上の異なる位置で移動表示されるが、そこから当該変動表示で確率変動大当たり、確変昇格大当たりまたは時短大当たりとなるか否かを携帯電話機３００が特定できるようにするためには、１回の撮影で１個ずつ、所定の大きさ以上で撮影しなければならない。
【０１８１】
従って、可変表示装置９に表示されているマーカー４０１〜４０３を携帯電話機３００の撮影装置３０７により撮影するためには、１つを撮影するためにも移動を追いかけて携帯電話機３００を動かす必要があり、また、複数を撮影するためには各々の表示位置に携帯電話機３００を動かす必要がある。このため、マーカー４０１〜４０３の撮影の作業がいっそう面白みのあるものとなり、さらに遊技の興趣を向上させることができる。
【０１８２】
しかも、撮影予告が行われる度にマーカー４０１〜４０３の移動の軌跡も異なることから、遊技者が自己の携帯電話機３００をパチンコ遊技機１の可変表示装置９の同じ位置に向けて待ち構えているだけでは、可変表示装置９にマーカー４０１〜４０３が表示されても、これを１つも撮影できないということも起こり得る。このため、マーカー４０１〜４０３の撮影の作業がいっそう面白みのあるものとなり、さらに遊技の興趣を向上させることができる。
【０１８３】
また、マーカー４０１〜４０３は、３個全てが同時に可変表示装置９に表示されている場合もあるものの、その表示開始／表示消去のタイミングがずれており、そのタイミングの違いに応じて順序づけがされている。マーカー４０１〜４０３を順序通りに撮影するためには、可変表示装置９の異なる位置に表示されているマーカー４０１〜４０３を表示開始された順序通りに携帯電話機３００の撮影装置３０７で撮影する必要があるため、マーカー４０１〜４０３の撮影がいっそう面白みのあるものとなり、さらに遊技の興趣を向上させることができる。
【０１８４】
また、可変表示装置９に表示されたマーカー４０１〜４０３を結果的には３個全て撮影できたとしても、３個のマーカー４０１〜４０３を順序通りに撮影できたときの方が順序違いとなったときよりも当該変動表示で確率変動大当たり、確変昇格大当たりまたは時短大当たりとなる信頼度の情報としての信憑性が高くなるので、表示装置３０６に表示される信頼度の情報としての価値に、いっそうの面白みを生じさせることができる。
【０１８５】
しかも、マーカー４０１〜４０３がそれぞれ可変表示装置９上で移動表示されることから、各々が表示開始されたときから注意していないとマーカー４０１〜４０３の順序が分からなくなってしまうので、個々のマーカー４０１〜４０３の各々の動きにも遊技者を注目させることができ、さらに遊技の興趣を向上させることができる。もっとも、最後に表示開始された３番目のマーカー４０３が最も遅くまで可変表示装置９に表示され続け、次に遅く表示開始された２番目のマーカー４０２が次に遅くまで可変表示装置９に表示され続けるので、後から表示開始されたマーカー４０３、４０２であるからといって、先に表示開始されたマーカー４０１よりも撮影できる期間が厳しくなってしまうことはない。
【０１８６】
また、マーカー４０１〜４０３は、それぞれタイミングを変えて表示開始／表示消去されるため、遊技者が携帯電話機３００の撮影装置３０７によりできる限り多くのマーカー４０１〜４０３を撮影するためには、マーカー４０１〜４０３が各々可変表示装置９に表示されている間に撮影を行う必要がある。これにより、マーカー４０１〜４０３の撮影に対して一定期間継続して遊技者に関心を持たせることができ、さらに遊技の興趣を向上させることができる。
【０１８７】
また、撮影予告が行われるときにおいてパチンコ遊技機１の可変表示装置９に表示されるマーカー４０１〜４０３には、２次元コードの他に、キャラクタという種別の異なるものがある。そして、携帯電話機３００の撮影装置３０７により撮影されたマーカー４０１〜４０３の数が２個であるか、３個で順序違いであるときには、マーカーの種別の違いによって、当該変動表示で確率変動大当たり、確変昇格大当たりまたは時短大当たりとなる信頼度の情報としての信憑性が異なるものとなる。このため、可変表示装置９に表示されるマーカーの種別にも遊技者に興味を持たせることができ、さらに遊技の興趣を向上させることができる。
【０１８８】
さらに、撮影予告が行われるときにおいてパチンコ遊技機１の可変表示装置９には３個のマーカー４０１〜４０３が表示されるが、そのうちの１個が撮影されていく度に当該変動表示で確率変動大当たり、確変昇格大当たりまたは時短大当たりとなる信頼度が選択され、表示装置３０６に表示されるものとなっている。そして、撮影されたマーカー４０１〜４０３の数が増えるほどに、表示された信頼度の情報としての信憑性が高まることになる。このように情報の信憑性がステップアップして遊技者に提供されることによって、さらに遊技の興趣を向上させることができる。
【０１８９】
ところで、マーカー４０１〜４０３には、１回の変動表示において可変表示装置９に１個目のマーカが表示開始されてから３個目のマーカーが表示消去されるまでの期間よりも極僅かに長い期間で有効期限が設定されているので、本来は、異なる回の変動表示に対してパチンコ遊技機１の可変表示装置９に表示されているマーカー４０１〜４０３が同じ回の変動表示のものとして認識されることはないはずである。また、マーカー４０１〜４０３が表示されている時間は数秒程度に限られているため、本来は、異なる台のパチンコ遊技機１の可変表示装置９で表示されているマーカー４０１〜４０３が同じ台の同じ回の変動表示のものとして認識されることはないはずである。
【０１９０】
だからといって、携帯電話機３００のアプリケーションプログラムによる処理の上での何らかの問題により、或いは、遊技者の意図的な不正行為により、このようなことが起こらないとは限らない。そこで、携帯電話機３００のＲＡＭ３０３に有効期限内のマーカー４０１〜４０３が２つ以上記憶されているときには、各々から特定される当該変動表示で確率変動大当たり、確変昇格大当たりまたは時短大当たりとなるか否かという情報が全て一致するかと、各マーカーの種別が全て一致するかを判定するものとしている。
【０１９１】
そして、これらの不一致があった場合には、当該変動表示で確率変動大当たり、確変昇格大当たりまたは時短大当たりとなる信頼度の報知を行わず、所定のエラー報知を行うものとなっている。これにより、遊技システムとして本来予定されていない異常な状態で、当該変動表示で確率変動大当たり、確変昇格大当たりまたは時短大当たりとなる信頼度が報知されるのを防ぐことができる。また、信頼度を報知せずにエラー報知を行うことで、携帯電話機３００のＲＡＭ３０３に有効期限内のものとして記憶されているマーカーが異常なものであったことを遊技者が認識できるようになる。
【０１９２】
また、携帯電話機３００のアプリケーションプログラムをサーバ装置２００から一旦ダウンロードしてしまえば、パチンコ遊技機１において撮影予告を行うときにマーカー４０１〜４０３を可変表示装置９に表示した後は、全て携帯電話機３００の中で、撮影したマーカー４０１〜４０３に基づいて当該変動表示で確率変動大当たり、確変昇格大当たりまたは時短大当たりとなる信頼度を表示装置３０６に表示させるまでの処理を行うことができる。このため、サーバ装置２００に余分な負荷がかかることがなく、システム資源を余分に消費してしまうことがない。
【０１９３】
本発明は、上記の実施の形態に限られず、種々の変形、応用が可能である。以下、本発明に適用可能な上記の実施の形態の変形態様について説明する。
【０１９４】
上記の実施の形態では、パチンコ遊技機１において撮影予告を行うことが決定された変動表示においては、可変表示装置９上でマーカーが移動表示されるものとなっていた。このマーカーの移動表示の速度は、当該変動表示で確率変動大当たり、確変昇格大当たりまたは時短大当たりとなるか否かに応じて異ならせるものとすることもできる。特に、当該変動表示で確率変動大当たり、確変昇格大当たりまたは時短大当たりとなる場合には、ハズレ（突然確変大当たりとなる場合を含む）となる場合よりも、マーカーの移動表示の速度を速くするものとしてもよい。
【０１９５】
このように当該変動表示で確率変動大当たり、確変昇格大当たりまたは時短大当たりとなるか否かに応じて、マーカーの移動表示の速度を変化させることによって、その移動表示の違いに応じて異なる期待感を遊技者に与えることができ、さらに遊技の興趣を向上させることができる。特に、当該変動表示で確率変動大当たり、確変昇格大当たりまたは時短大当たりとなる場合の移動速度をより速くする場合には、遊技者の期待感が高められるときほど携帯電話機３００でマーカーを追いかけるのが大変になるので、その期待感の高まりに応じた遊技の面白みを加えることができる。
【０１９６】
上記の実施の形態では、撮影予告が行われるときにおいてパチンコ遊技機１の可変表示装置９に表示されるマーカー４０１〜４０３は、可変表示装置９上で移動表示されるものとなっていた。また、表示開始／表示消去のタイミングは少しずつずれているものの、複数が同時に可変表示装置９に表示されている場合もあった。また、表示開始のタイミングの順番で順序づけがされていた。これに対して、マーカー４０１〜４０３は、可変表示装置９上で停止して表示されるものであってもよい（但し、設営予告の度に、その表示位置が変わるものとしてもよい）。
【０１９７】
また、マーカー４０１〜４０３の表示開始／表示消去のタイミングは、全て同じであってもよい。マーカー４０１〜４０３の順序は、表示開始のタイミングとは異なる順番で設定されるものとしてもよい（この場合は、数字を表示するなどしてマーカー４０１〜４０３の順序を遊技者に示す必要がある）。或いは、マーカー４０１〜４０３は、可変表示装置９に同時に複数が表示され得るものでなく、各々が表示される期間が互いに重複しないものであってもよい。この場合において、マーカー４０１〜４０３が表示されるタイミングは、ランダムに変化するものとしてもよい。
【０１９８】
上記の実施の形態では、パチンコ遊技機１の可変表示装置９において、マーカー４０１〜４０３は、何れも所定の大きさで表示されるものとなっていた。これに対して、マーカー４０１〜４０３の大きさは、撮影予告の度に異なるものとなってもよく、同時に表示されるマーカー４０１〜４０３が３個とも同じ大きさとなっても、３個が違う大きさとなってもよい。また、マーカー４０１〜４０３の各々が表示開始されてから表示消去されるまでの期間において、その大きさが変化するものであってもよい。
【０１９９】
当該変動表示で確率変動大当たり、確変昇格大当たりまたは時短大当たりとなるか否かと、可変表示装置９に表示された順序を特定できるようにはならず、これらを特定できるようにするためには、マーカー４０１〜４０３を１つずつ所定の大きさ以上で撮影しなければならないが、このようにマーカー４０１〜４０３の大きさが変化することで、これによって携帯電話機３００の撮影装置３０７を何処まで近づけなくてはならないかが変わってくる。これにより、マーカー４０１〜４０３の撮影の作業がいっそう面白みのあるものとなり、さらに遊技の興趣を向上させることができる。
【０２００】
上記の実施の形態では、撮影予告が行われるときにパチンコ遊技機１の可変表示装置９に表示されるマーカー４０１〜４０３は、その情報として、当該変動表示で確率変動大当たり、確変昇格大当たりまたは時短大当たりとなるか否かを示す情報と、可変表示装置９に表示された順序を示す情報とが含まれていた。これに加えて、撮影予告が行われる度に取得される所定の番号（パチンコ遊技機１毎に定められるシーケンス番号や、ランダムな番号）をマーカー４０１〜４０３に情報として含ませるものとしてもよい。
【０２０１】
この場合においては、有効期限内のマーカー４０１〜４０３がＲＡＭ３０３に複数記憶されているときに、各マーカー４０１〜４０３に情報として含まれている所定の番号を特定し、特定した所定の番号が全て一致するのでなければ、表示装置３０６に所定のエラー表示を行ってから、これらを全て破棄するものとしてもよい。これにより、遊技システムとして本来予定されていない異常な状態で、当該変動表示で確率変動大当たり、確変昇格大当たりまたは時短大当たりとなる信頼度が報知されるのを、より確実に防ぐことができるようになる。
【０２０２】
上記の実施の形態では、撮影予告が行われるときにパチンコ遊技機１の可変表示装置９に表示されるマーカーには、２次元コードとキャラクタという２つの種別のものがあったが、その種別数は、任意に定めることができる。また、例えば、同じ２次元コードであるが種別毎に色が異なるなど、その種別の区別の仕方も任意である。さらに、色も大きさも全体としての形も同じ２次元コードであって遊技者が直接種別を認識することは困難であるが、そこに含まれる情報の違いによってマーカーの種別が区別されるものとしてもよい。
【０２０３】
上記の実施の形態では、撮影予告が行われるときにパチンコ遊技機１の可変表示装置９には３個のマーカー４０１〜４０３が表示されるものとなっていた。もっとも、撮影予告が行われるときにパチンコ遊技機１の可変表示装置９に表示される個数は２以上の任意の個数とすることができ、撮影予告が行われる度に、可変表示装置９に表示されるマーカーの数を２個以上の所定個以下の範囲で任意に決定できるようにしてもよい。
【０２０４】
上記の実施の形態では、撮影予告が行われるときにパチンコ遊技機１の可変表示装置９に表示される３個のマーカー４０１〜４０３のうちの１つでも携帯電話機３００の撮影装置３０７で撮影されると当該変動表示で確率変動大当たり、確変昇格大当たりまたは時短大当たりとなる信頼度の報知が行われるものとなっていた。もっとも、当該変動表示で確率変動大当たり、確変昇格大当たりまたは時短大当たりとなる信頼度の報知を行うのは、３個のマーカー４０１〜４０３のうちの２以上が撮影されたときだけとしてもよい。
【０２０５】
上記の実施の形態では、撮影予告が行われるときにパチンコ遊技機１の可変表示装置９には３個のマーカー４０１〜４０３が表示され、これらを携帯電話機３００の撮影装置３０７で静止画像として撮影することで、当該変動表示で確率変動大当たり、確変昇格大当たりまたは時短大当たりとなる信頼度の報知が行われるものとなっていた。もっとも、本発明は、これに限るものではない。
【０２０６】
例えば、パチンコ遊技機１に配された所定のランプを当該変動表示で確率変動大当たり、確変昇格大当たりまたは時短大当たりとなるか否かに応じた態様（遊技者には何れか区別がつきにくい態様）で点滅させ、これを携帯電話機３００の撮影装置３０７により動画像として撮影するものとしてもよい。携帯電話機３００のＣＰＵ３０１は、動画像として撮影されたランプの点灯態様を解析し、当該変動表示で確率変動大当たり、確変昇格大当たりまたは時短大当たりとなるか否かを特定する。
【０２０７】
また、これに用いられるランプは、複数でも１つであってもよい。ランプが１つの場合には、複数回の点滅期間を定め、各回の点滅期間における点滅を、上記の実施の形態におけるマーカー４０１〜４０３の各々に対応させることができる。また、ランプが複数の場合には、各々のランプが点滅する期間は同時であっても異なっていてもよく、また、各ランプを上記の実施の形態におけるマーカー４０１〜４０３の各々に対応させることができる。
【０２０８】
或いは、携帯電話機３００がマイクロフォン（通話以外にも使えるもの）を備える場合には、パチンコ遊技機１のスピーカ２７から当該変動表示で確率変動大当たり、確変昇格大当たりまたは時短大当たりとなるか否かに応じた態様（遊技者には何れか区別がつきにくい態様）で音声（一定程度以上にマイクロフォンを近づけないと録音できないレベル）を出力させ、これを携帯電話機３００のマイクロフォンにより録音するものとしてもよい。携帯電話機３００のＣＰＵ３０１は、録音された音声を解析し、当該変動表示で確率変動大当たり、確変昇格大当たりまたは時短大当たりとなるか否かを特定する。
【０２０９】
このような音声を出力するスピーカ２７は、右または左の何れか一方に固定されているものでも、両方としてもよい。この場合は、複数回の音声出力期間を定め、各回の音声出力期間における音声の出力を、上記の実施の形態におけるマーカー４０１〜４０３の各々に対応させることができる。また、予め定められた音声出力期間において音声が出力されるものとなっているが、左右の何れから出力されるかがランダムに決められるものとしてもよい。
【０２１０】
上記の実施の形態では、パチンコ遊技機１の可変表示装置９に表示されたマーカーを撮影することで携帯電話機３００の表示装置３０６に表示される確率変動大当たり、確変昇格大当たりまたは時短大当たりとなる信頼度を高い／中程度／低いの何れとするかは、当該マーカーから当該変動表示で確率変動大当たり、確変昇格大当たりまたは時短大当たりとなることが特定されるか否かと、撮影されたマーカーの数及び順序とに応じて選択されるものとしていた。しかしながら、本発明は、これに限られない。
【０２１１】
第１の手法として、撮影されたマーカーの数や順序に関わらずに、まず、当該マーカーから当該変動表示で確率変動大当たり、確変昇格大当たりまたは時短大当たりとなることが特定されるか否かに応じて、確率変動大当たり、確変昇格大当たりまたは時短大当たりとなる信頼度を高い／中程度／低いの何れとするかを選択するものとしてもよい。その上で、撮影されたマーカーの数や順序に応じて、表示装置３０６に実際に表示させる信頼度を最初に選択した信頼度とは異なる信頼度に変更するものとしてもよい。
【０２１２】
例えば、携帯電話機３００の撮影装置３０７によって撮影したマーカーから当該変動表示で確率変動大当たり、確変昇格大当たりまたは時短大当たりとなることが特定される場合には、最初は必ず信頼度が高いを選択し、確率変動大当たり、確変昇格大当たりまたは時短大当たりとならないことが特定される場合には、最初は必ず信頼度が低いを選択する。マーカーの数が３個で順序通りの場合は、最初に選択した信頼度を変更することなく表示装置３０６に表示させる。
【０２１３】
それ以外の場合は、最初に選択した信頼度をマーカーの数に応じた割合で変更して表示装置３０６に表示させる。ここで、撮影したマーカーから当該変動表示で確率変動大当たり、確変昇格大当たりまたは時短大当たりとなることが特定される場合、マーカーの数が１個の場合には信頼度が中程度にＸ１の割合で、信頼度が低いにＹ１の割合で変更する。同様に、マーカーの数が２個の場合にはそれぞれＸ２、Ｙ２の割合で、マーカー数が３個で順序違いの場合にはＸ３、Ｙ３の割合で変更する。
【０２１４】
一方、撮影したマーカーから当該変動表示で確率変動大当たり、確変昇格大当たりまたは時短大当たりとならないことが特定される場合、マーカーの数が１個の場合には信頼度が中程度にＺ１の割合で、信頼度が高いにＷ１の割合で変更する。同様に、マーカーの数が２個の場合にはそれぞれＺ２、Ｗ２の割合で、マーカー数が３個で順序違いの場合にはＺ３、Ｗ３の割合で変更する。
【０２１５】
この信頼度の変更割合Ｘ１〜Ｘ３、Ｙ１〜Ｙ３、Ｚ１〜Ｚ３、Ｗ１〜Ｗ３は、信頼度が高いと示された場合の全体で確率変動大当たり、確変昇格大当たりまたは時短大当たりとなることの割合が信頼度が中程度と示された場合の全体で確率変動大当たり、確変昇格大当たりまたは時短大当たりとなることの割合よりも高く、信頼度が中程度と示された場合の全体で確率変動大当たり、確変昇格大当たりまたは時短大当たりとなることの割合が信頼度が低いと示された場合の全体で確率変動大当たり、確変昇格大当たりまたは時短大当たりとなることの割合よりも高くなり、且つ表示された信頼度の情報としての信憑性が、撮影したマーカーの数が多いほど、マーカーの数が同じ３個であれば順序通りに取得されたときの方が高いものとなるような範囲で、適当な値に定めることができる。
【０２１６】
また、第２の手法として撮影されたマーカーの数が１個だけである場合には、撮影したマーカーから当該変動表示で確率変動大当たり、確変昇格大当たりまたは時短大当たりとならないことが特定されるか否かに応じて、信頼度が高い／中程度／低いをそれぞれ所定の割合で選択する。撮影したマーカーから当該変動表示で確率変動大当たり、確変昇格大当たりまたは時短大当たりとならないことが特定されるか否かに関わらず、信頼度が高い／中程度／低いをそれぞれ所定の割合（例えば、均等な割合）で選択するものとしてもよい。
【０２１７】
撮影されたマーカーの数が２個となったときは、マーカーの数が１個のときに選択された信頼度を一定の割合で変更していく。撮影したマーカーから当該変動表示で確率変動大当たり、確変昇格大当たりまたは時短大当たりとなることが特定される場合、マーカーの数が１個の状態で信頼度が高いが選択されていた場合には変更せず、信頼度が中程度、低いが変更されていた場合に、それぞれｘ、ｙ（ｘ＜ｙ）の割合で信頼度が高いに変更する。撮影したマーカーから当該変動表示で確率変動大当たり、確変昇格大当たりまたは時短大当たりとならないことが特定される場合、マーカーの数が１個の状態で信頼度が低いが選択されていた場合には変更せず、信頼度が中程度、低いが変更されていた場合に、それぞれｚ、ｙ（ｘ＜ｙ）の割合で信頼度が高いに変更する。
【０２１８】
撮影されたマーカーの数が３個となったときにそれが順序違いであれば、マーカーの数が２個のときの選択状態での信頼度を変更していく。撮影したマーカーから当該変動表示で確率変動大当たり、確変昇格大当たりまたは時短大当たりとなることが特定される場合、マーカーの数が２個の状態で信頼度が高いが選択されていた場合には変更せず、信頼度が中程度、低いが変更されていた場合に、それぞれｘ、ｙ（ｘ＜ｙ）の割合で信頼度が高いに変更する。撮影したマーカーから当該変動表示で確率変動大当たり、確変昇格大当たりまたは時短大当たりとならないことが特定される場合、マーカーの数が１個の状態で信頼度が低いが選択されていた場合には変更せず、信頼度が中程度、低いが変更されていた場合に、それぞれｚ、ｙ（ｘ＜ｙ）の割合で信頼度が高いに変更する。
【０２１９】
撮影されたマーカーの数が３個となったときにそれが順序通りであれば、撮影したマーカーから当該変動表示で確率変動大当たり、確変昇格大当たりまたは時短大当たりとなることが特定される場合には、マーカーの数が２個のときに如何なる信頼度の選択状態であったかに関わらずに全て信頼度が高いに変更する。撮影したマーカーから当該変動表示で確率変動大当たり、確変昇格大当たりまたは時短大当たりとならないことが特定される場合には、マーカーの数が２個のときに如何なる信頼度の選択状態であったかに関わらずに全て信頼度が低いに変更する。
【０２２０】
これらの２つの手法によって携帯電話機３００の表示装置３０６に表示する信頼度を決定する場合も、上記の実施の形態で示した手法で携帯電話機３００の表示装置３０６に表示する信頼度を決定する場合と同様に、撮影したマーカーの数が多くなるほど、さらには３個のマーカーが撮影されたときには順序通りとなっている場合ほど、当該変動表示で確率変動大当たり、確変昇格大当たりまたは時短大当たりとなる信頼度の情報としての信憑性を高くしていくことが可能となる。
【０２２１】
上記の実施の形態では、撮影予告が行われるときにパチンコ遊技機１の可変表示装置９に表示された３個のマーカー４０１〜４０３がそれぞれ携帯電話機３００の撮影装置３０７で撮影される度に、これまでに撮影されたマーカー４０１〜４０３に基づいて、当該変動表示で確率変動大当たり、確変昇格大当たりまたは時短大当たりとなる信頼度が表示装置３０６に表示されるものとなっていた。もっとも、１つのマーカー４０１〜４０３の撮影で直ぐに信頼度の表示を行うものとせず、マーカー４０１〜４０３の何れか１つが撮影されてから他のマーカーが撮影されることなく所定時間が経過したときに、撮影されたマーカー４０１〜４０３の数を確定させ、このときに初めて当該変動表示で確率変動大当たり、確変昇格大当たりまたは時短大当たりとなる信頼度が表示装置３０６に表示されるものとしてもよい。
【０２２２】
図１４は、この変形例において携帯電話機３００のアプリケーションプログラムにより実行される処理を示すフローチャートである。なお、図１４のフローチャートでは、図１２のフローチャートと同様の処理を省略している場合がある。ＣＰＵ３０１は、撮影装置３０７によって新たなマーカーの画像が撮影されてＲＡＭ３０３に記憶されると、そのマーカーの画像認識を行い、当該マーカーに含まれている情報（マーカーの種別、マーカーの順序、及び確率変動大当たり、確変昇格大当たりまたは時短大当たりとなるか否か）を解析する（ステップＳ２０１）。
【０２２３】
次に、ＣＰＵ３０１は、ステップＳ２０１で今回画像認識を行ったマーカーが撮影されてから新たなマーカーが撮影されることなく、所定時間を経過したかどうかを判定する（ステップＳ２０２）。所定時間を経過していなければ、ステップＳ２０１に戻る。所定時間を経過していれば、その時点でパチンコ遊技機１の可変表示装置９に表示された３個のマーカーのうちで遊技者が撮影に成功したマーカーの数が確定されるものとなる。
【０２２４】
ＣＰＵ３０１は、撮影した各マーカーについて、各々が当該変動表示で確率変動大当たり、確変昇格大当たりまたは時短大当たりとなることを示しているか否かを特定し、各マーカーについて当該変動表示で確率変動大当たり、確変昇格大当たりまたは時短大当たりとなることを示しているか否かを特定した結果が、全て一致しているか、それとも一致しないものがあるかを判定する（ステップＳ２０３）。
【０２２５】
各マーカーについて当該変動表示で確率変動大当たり、確変昇格大当たりまたは時短大当たりとなることを示しているか否かを特定した結果が全て一致している場合には、ＣＰＵ３０１は、撮影した各マーカーについて、マーカーの種別を特定し、各マーカーについて特定した種別が、特定した結果が、全て一致しているか、それとも一致しないものがあるかを判定する（ステップＳ２０４）。
【０２２６】
ステップＳ２０３で各マーカーについて当該変動表示で確率変動大当たり、確変昇格大当たりまたは時短大当たりとなることを示しているか否かを特定した結果に一致しないものがあった場合、或いは、ステップＳ２０４で各マーカーについて特定した種別に一致しないものがあった場合には、ＣＰＵ３０１は、表示装置３０６に所定のエラー表示をさせ（ステップＳ２０５）、処理を終了する。
【０２２７】
ステップＳ２０４で各マーカーについて特定した種別が全て一致する場合には、ＣＰＵ３０１は、これまでに撮影装置３０７により撮影されてＲＡＭ３０３に記憶されているマーカーの数、及びマーカーが３個ある場合には各マーカーが撮影された順序（可変表示装置９に表示された順序通りか表示された順序と違うか）を判定する（ステップＳ２０６）。
【０２２８】
ＣＰＵ３０１は、ステップＳ２０６で判定したマーカーの数及び各マーカーが撮影された順序、ステップＳ２０３で特定された当該変動表示で確率変動大当たり、確変昇格大当たりまたは時短大当たりとなることを示しているか否か、ステップＳ２０４で特定されたマーカーの種別に応じて図９（ａ）または（ｂ）の予告内容選択テーブルを参照し、予告内容の選択のために抽出された所定の乱数に従って、表示装置３０６に表示すべき予告内容（確率変動大当たり、確変昇格大当たりまたは時短大当たりとなる信頼度が高い／中程度／低い）を選択する（ステップＳ２０７）。
【０２２９】
ＣＰＵ３０１は、ステップＳ２０７で選択した予告内容（確率変動大当たり、確変昇格大当たりまたは時短大当たりとなる信頼度が高い／中程度／低い）に応じた画像を表示装置３０６に表示させ、当該変動表示で確率変動大当たり、確変昇格大当たりまたは時短大当たりとなるか否かの信頼度を、遊技者に報知して（ステップＳ２０８）、処理を終了する。
【０２３０】
この変形例では、新たなマーカーが撮影されずに所定期間を経過したときに初めて、当該変動表示で確率変動大当たり、確変昇格大当たりまたは時短大当たりとなる信頼度が携帯電話機３００の表示装置３０６に表示されるものとなっているので、遊技者は、未だ撮影されたマーカーの数が少ないうちの情報としての信憑性が低い信頼度に惑わされることなく、マーカーの撮影や遊技に集中することが可能になる。
【０２３１】
上記の実施の形態では、撮影予告が行われるときにおいてパチンコ遊技機１の可変表示装置９に表示される３個のマーカー４０１〜４０３には、それぞれに当該変動表示で確率変動大当たり、確変昇格大当たりまたは時短大当たりとなるか否かを特定可能な情報が含まれているものとしていた。これに対して、通常のマーカー４０１〜４０３には当該変動表示で確率変動大当たり、確変昇格大当たりまたは時短大当たりとなるか否かを特定可能な情報を含ませず、これとは別に可変表示装置９に表示されるマーカー（特定マーカーという）にだけ、当該変動表示で確率変動大当たり、確変昇格大当たりまたは時短大当たりとなるか否かを特定可能な情報を含ませるものとしてもよい。
【０２３２】
このようなものでは、図１４に示した変形例のステップＳ２０２を、特定マーカーが撮影されたかどうかを判定するステップに変えるものとして、その処理を行うことができる。また、当該変動表示で確率変動大当たり、確変昇格大当たりまたは時短大当たりとなるか否かを特定可能な情報は、通常のマーカー４０１〜４０３には含まれず、特定マーカーにのみ含まれているので、ステップＳ２０３の処理は不要となる。また、特定マーカーは、予告内容を選択する場合の撮影されたマーカーの数に含めないものとすることができる。
【０２３３】
或いは、可変表示装置９に表示されるマーカー４０１〜４０３の中に、当該変動表示で確率変動大当たり、確変昇格大当たりまたは時短大当たりとなるか否かを特定可能な情報が含まれるものと含まれないものとがあってもよく、可変表示装置９に表示されたマーカー４０１〜４０３のうちで当該変動表示で確率変動大当たり、確変昇格大当たりまたは時短大当たりとなるか否かを特定可能な情報が含まれるものが１個以上撮影装置３０７により撮影されたことを条件として、携帯電話機３００の表示装置３０６に当該変動表示で確率変動大当たり、確変昇格大当たりまたは時短大当たりとなるか否かの信頼度を表示させるものとしてもよい。
【０２３４】
上記の実施の形態では、撮影予告により、当該変動表示で確率変動大当たり、確変昇格大当たりまたは時短大当たりとなる信頼度を報知するものとしていたが、当該変動表示でスーパーリーチとなる信頼度を撮影予告で報知するものとしてもよい。この場合は、パチンコ遊技機１の可変表示装置９に表示されるマーカー４０１〜４０３に、当該変動表示で確率変動大当たり、確変昇格大当たりまたは時短大当たりとなるか否かを特定可能とする情報を含ませるのではなく、当該変動表示でスーパーリーチとなるか否かを特定可能とする情報を含ませるものとすればよい。
【０２３５】
上記の実施の形態では、大当たりの種類として確率変動大当たり、確変昇格大当たり、突然確変大当たり、及び時短大当たりがあり、前三者では、何れも確率変動大当たりに制御されたことが遊技者に分かるものとなっていた。これに対して、大当たりの種類として確変昇格大当たりに代えて、飾り図柄を「１」または「７」以外の図柄で揃えて停止させるとともに、大当たり演出においても確率変動状態に制御されるか否かを報知しない確変潜伏大当たりを設けるものとしてもよい。確変潜伏大当たりでも時短大当たりでも遊技者の見た目上は変わらないので、その何れかが発生した場合に、確率変動状態に制御されているか否かが分からない確変潜伏状態となる。
【０２３６】
このように確変潜伏状態に制御されるパチンコ遊技機では、遊技者は、確変潜伏状態に制御されているときに、飾り図柄の変動表示が行われているときに当該変動表示で大当たりとなることを期待するのと同様に、確率変動状態に制御されていることを期待する。そこで、確変潜伏状態において実際に確率変動状態に制御されているかどうかを予告する確変潜伏予告に、上記の実施の形態における撮影予告を適用することができる。撮影予告を確変潜伏予告に適用した場合も、上記の実施の形態と同様の効果を得ることができる。
【０２３７】
なお、撮影予告が確変潜伏予告に適用される場合には、同じ確変潜伏状態での撮影予告に適用される可変表示装置９への複数のマーカーの表示は、１回の変動表示で行うのではなく、複数回の変動表示に分けて行うことができる。例えば、確変潜伏状態に移行されてから５回目の変動表示で１個目のマーカーを、１０回目の変動表示で２個目のマーカーを、１５回目の変動表示で３個目のマーカーを可変表示装置９に表示させることもできる。
【０２３８】
表示制御基板８０の表示制御用ＣＰＵは、主基板３１のＣＰＵ５６から送信された遊技状態コマンドによって実際に確率変動状態に制御されているのか否かを判断することができるが、確変潜伏予告は、例えば、確変潜伏状態にある間の変動表示が開始されるとき（開始時コマンドを受信したとき）に、実際の遊技状態が確率変動状態であるか否かを判断し、確率変動状態であるか否かに応じて異なる割合で確変潜伏予告を行う旨を決定するものとすればよい。
【０２３９】
なお、確変潜伏状態には、特別図柄表示器１０ａ、１０ｂに特定表示結果以外の表示結果を表示した後に、第２大当たり遊技状態と同様の制御が行われる小当たり遊技状態に制御し、小当たり遊技状態の終了後は小当たり遊技状態に制御される前に制御されていたのと同じ遊技状態に（確率変動状態に制御されていたのであれば確率変動状態に、通常遊技状態に制御されていたのであれば通常遊技状態に）制御させる小当たりと、突然通常大当たり（確率変動状態に制御されないこと以外は突然確変大当たりと同じ）と上記の突然確変大当たりとで確変潜伏状態とすることもできる。
【０２４０】
また、確変潜伏状態に制御されるパチンコ遊技機では、確変潜伏モードが継続するか否かの可能性、さらには実際に確率変動状態に制御されているか否かの可能性を遊技者に報知する演出として、上記の実施の形態における撮影予告を適用するものとしてもよい。また、遊技者に有利な遊技状態（或いは、有利な遊技状態に制御されている可能性がある状態）が所定期間の経過で終了する場合と所定期間の経過後も継続する場合とがあるものであれば、その有利な遊技状態（或いは、有利な遊技状態に制御されている可能性がある状態）が所定期間の経過後も継続するか否かを遊技者に報知するもの全般に、上記の実施の形態における撮影予告を適用することができる。
【０２４１】
例えば、大当たりの種類として、第１大当たり遊技状態終了後の所定ゲーム数（例えば、１０ゲーム）だけ確率変動状態に制御される短期確率変動大当たりと、所定ゲーム数を越えても（次回大当たりまでとしてもよい）確率変動状態が継続する長期確率変動大当たりとを用意するとともに、何れの種類の大当たりが発生したかを可変表示装置９における飾り図柄の表示結果などにおいて遊技者に示さないことで、１０ゲームで確率変動状態が終了するのか１０ゲームの消化後も確率変動状態が継続するのかが分からないものとする。この場合、第１大当たり遊技状態の終了後の１０ゲームで、上記の実施の形態における撮影予告を実行し、１０ゲームよりも後も確率変動状態が継続することを予告するものとすることができる。
【０２４２】
また、確変昇格大当たりとなったときには可変表示装置９に停止された飾り図柄の種類では時短大当たりと区別がつかないので、確変昇格大当たりと時短大当たりの後に制御される第１大当たり遊技状態における大当たり演出において、確率変動状態に制御されるか否かを示すために、上記の実施の形態における撮影予告を適用し、確率変動大当たりとなることを予告または告知するものとすることができる。
【０２４３】
また、例えば、大当たり遊技状態として、７ラウンドだけ大入賞口の開放が行われる７ラウンド大当たり遊技状態と、１５ラウンドだけ大入賞口の開放が行われる１５ラウンド大当たり遊技状態とがあり、直前の飾り図柄の変動表示の結果からは、その何れに制御されているかが分からないものとする。この場合、７ラウンド経過で大当たり遊技状態が終了する場合と７ラウンド経過後も大当たり遊技状態が継続する場合とがあるので、大当たりラウンド演出における第１ラウンドから第７ラウンドの演出で、上記の実施の形態における撮影予告を適用し、１５ラウンド大当たりとなることを予告または告知するものとすることができる。
【０２４４】
上記の実施の形態では、始動入賞口１４ａ、１４ｂに遊技球が入賞しても、未だ先の始動入賞に基づく変動表示が行われているなどして直ぐに変動表示を開始できない場合には、当該始動入賞に基づいて抽出された各種乱数がＲＡＭ５５の保留記憶バッファに保留記憶されるものとなっていた。そして、各種乱数が保留記憶されている保留記憶バッファに対応したアイコンが特別図柄保留記憶表示部１１ａ、１１ｂに表示されるものとなっていた。特別図柄保留記憶表示部１１ａ、１１ｂに表示されたアイコンに対応した変動表示は、未だ実行されてはいないものの、既に各種乱数の抽出は終了しているため、その変動表示が如何なるもの（大当たりとなるか否かや変動パターン）となるかは既に確定してしまっていることとなる。
【０２４５】
もっとも、特別図柄保留記憶表示部１１ａ、１１ｂにアイコンが表示されて保留記憶されているのが分かるのであれば、遊技者は、実行中の変動表示に対するのと同様に、未だ実際には開始されていない変動表示において大当たりやスーパーリーチになることを期待することとなる。そこで、保留記憶により次以降に行われる変動で確率変動大当たり、確変昇格大当たりまたは時短大当たりとなる可能性があること、或いはスーパーリーチとなることを報知する先読み予告に、上記の実施の形態における撮影予告を適用するものとしてもよい。先読み予告を適用した場合も、上記の実施の形態と同様の効果を得ることができる。
【０２４６】
なお、撮影予告が確変潜伏予告に適用される場合には、同じ確変潜伏状態での撮影予告に適用される可変表示装置９への複数のマーカーの表示は、１回の変動表示で行うのではなく、複数回の変動表示に分けて行うことができる。例えば、先読みのターゲットとなっている変動表示よりも前に実行される保留記憶が３つある場合には、ターゲットの３つ前の変動表示で１個目のマーカーを、ターゲットの２つ前の変動表示で２個目のマーカーを、ターゲットの１つ前の変動表示で３個目のマーカーを可変表示装置９に表示させることもできる。
【０２４７】
上記の実施の形態では、本発明の遊技システムを構成する遊技機としてパチンコ遊技機を適用した場合を例として説明した。もっとも、ビッグボーナス、レギュラーボーナスやチャレンジボーナス（以下、これらをまとめてボーナスという）、或いはＡＴ（Assist Time）やＲＴ（Replay Time）などの遊技者にとって遊技状態を移行させることができるスロットマシンも、本発明の遊技システムを構成する遊技機として適用することができる。
【０２４８】
例えば、演出装置として液晶表示器を備えるスロットマシンにおいては、ゲーム毎にスタートレバーの操作時に行われる内部抽選で、ボーナスを含む各役の入賞の発生を許容するか否かを決定している。この内部抽選においてボーナス当選したか否かに応じて、ボーナス予告またはボーナス告知が行われる。このボーナス予告或いはボーナス告知を、スタートレバーの操作により回転開始し、停止ボタンの操作により回転停止する３個のリールを設けた可変表示装置とは別個に設けられた演出装置である液晶表示装置に画像を表示することにおいて行うものがある。このようなスロットマシンでは、ボーナス予告やボーナス告知のために、上記のパチンコ遊技機１における撮影予告を適用することができる。
【０２４９】
なお、撮影予告がスロットマシンにおけるボーナス予告やボーナス告知に適用される場合には、液晶表示装置への複数のマーカーの表示は、１ゲーム（リールの回転開始から全てのリールの停止までの期間）で行うのではなく、複数ゲームに分けて行う連続演出とすることができる。スロットマシンにおいては、内部抽選でボーナス当選したゲームで必ずしもボーナス入賞するものではなく、当選した種類のボーナスに応じた適切な操作手順で停止ボタンが操作されない限りボーナス入賞しない。
【０２５０】
また、遊技状態がボーナスに制御されている場合の各ゲームで、ボーナス当選しているか否かに応じて撮影予告を行うか否かを決定し（ボーナス当選している場合の方が高い割合で決定される）、撮影予告をすると決定したゲームで１個目のマーカーを、次のゲームで２個目のマーカーを、さらに次のゲームで３個目のマーカーを液晶表示装置に表示させることもできる。
【０２５１】
もっとも、撮影予告がスロットマシンにおけるボーナス予告やボーナス告知に適用される場合の液晶表示装置への複数のマーカーの表示を１ゲーム内で行うものとしてもよく、例えば、スタートレバーが操作されたタイミングから所定期間だけ１個目のマーカーを、第１停止ボタンが操作されたタイミングから所定期間だけ２個目のマーカーを、第２停止ボタンが操作されたタイミングから所定期間だけ３個目のマーカーを、液晶表示装置に表示させるものとしてもよい。
【０２５２】
この場合には、スロットマシンにおける遊技操作（スタートレバー、第１停止ボタン、第２停止ボタンの操作）と、マーカーの撮影とをそれぞれ如何なるタイミングで行うかの兼ね合いが生じるので、マーカーの撮影がゲームの進行との絡みでいっそう面白みのあるものとなり、遊技の興趣を向上させることができる。
【０２５３】
なお、スロットマシンへの撮影予告の適用は、ボーナス告知やボーナス予告だけではなく、ＲＴに制御させる際に、当該ＲＴをパンク役の当選が報知されるＡＲＴとすることが決定されたか否かのＡＲＴ予告やＡＲＴ告知にも適用することができる。さらには、ボーナス予告またはボーナス告知やＡＲＴ予告やＡＲＴ告知だけではなく、ＡＴなどの遊技者にとって有利な遊技状態として継続ゲーム数が異なる複数種類のものがある場合には、その有利な遊技状態が継続するか否かの予告または告知にも適用することができる。
【０２５４】
上記の実施の形態では、携帯電話機３００のアプリケーションプログラムは、サーバ装置２００のＨＤＤ２０７に保存され、ここからダウンロードしてＲＯＭ３０２に格納されるものとなっていた。もっとも、このアプリケーションプログラムを格納した半導体メモリカードを配布するものとし、携帯電話機３００が有するメモリスロットに挿入された半導体メモリカードから読み出して、ＲＯＭ３０２に格納されるものとしてもよい。また、携帯電話機３００は、このアプリケーションプログラムがＲＯＭ３０２にプリインストールされたものであってもよい。
【０２５５】
上記の実施の形態では、携帯電話機３００の撮影装置３０７により撮影されたマーカー４０１〜４０３に基づいて表示装置３０６に表示される当該変動表示で確率変動大当たり、確変昇格大当たりまたは時短大当たりとなる信頼度は、当該携帯電話機３００のアプリケーションプログラムにより選択されるものとなっていた。これに対して、携帯電話機３００で撮影したマーカー４０１〜４０３をサーバ装置２００に送り、撮影されたマーカー４０１〜４０３に基づいて表示装置３０６に表示される当該変動表示で確率変動大当たり、確変昇格大当たりまたは時短大当たりとなる信頼度をサーバ装置２００において選択し、これを携帯電話機３００に返送して表示装置３０６に表示させるものとしてもよい。
【０２５６】
図１５は、この変形例において携帯電話機３００とサーバ装置２００によりそれぞれ行われる処理を示すフローチャートである。なお、この変形例においては、図９の予告内容選択テーブルは、携帯電話機３００のＲＯＭ３０２に記憶されるものではなく、サーバ装置２００のＨＤＤ２０７に記憶されるものとなる。なお、図１５のフローチャートでも、図１２のフローチャートと同様の処理を省略している場合がある。
【０２５７】
また、図１５のフローチャートは、図１４で示した変形例と同様にマーカー４０１〜４０３の何れか１つが撮影されてから他のマーカーが撮影されることなく所定時間が経過したときに、撮影されたマーカー４０１〜４０３の数を確定させ、このときに初めて当該変動表示で確率変動大当たり、確変昇格大当たりまたは時短大当たりとなる信頼度を表示装置３０６に表示させるものを携帯電話機３００とサーバ装置２００との協働で実現する場合を示しているが、図１２のフローチャートのようにマーカー４０１〜４０３が撮影される度に選択された信頼度を表示させるものも携帯電話機３００とサーバ装置２００との協働で実現することができる。
【０２５８】
まず、携帯電話機３００のＣＰＵ３０１は、撮影装置３０７によって新たなマーカーの画像が撮影されてＲＡＭ３０３に記憶されると、そのマーカーの画像認識を行い、当該マーカーに含まれている情報（マーカーの種別、マーカーの順序、及び確率変動大当たり、確変昇格大当たりまたは時短大当たりとなるか否か）を解析する（ステップＳ３０１）。
【０２５９】
次に、ＣＰＵ３０１は、ステップＳ３０１で今回画像認識を行ったマーカーが撮影されてから新たなマーカーが撮影されることなく、所定時間を経過したかどうかを判定する（ステップＳ３０２）。所定時間を経過していなければ、ステップＳ３０１に戻る。所定時間を経過していれば、その時点でパチンコ遊技機１の可変表示装置９に表示された３個のマーカーのうちで遊技者が撮影に成功したマーカーの数が確定され、ＣＰＵ３０１は、通信装置３０８からネットワーク１５１を介してサーバ装置３００へと送信する（ステップＳ３０３）。
【０２６０】
次に、サーバ装置２００においては、制御部２０３は、ステップＳ３０３で携帯電話機３００から送信されたマーカーを通信インターフェイス２１５により受信させ、例えば、これをＨＤＤ２０７に一時記憶させる（ステップＳ４０１）。
【０２６１】
制御部２０３は、受信した各マーカーについて、各々が当該変動表示で確率変動大当たり、確変昇格大当たりまたは時短大当たりとなることを示しているか否かを特定し、各マーカーについて当該変動表示で確率変動大当たり、確変昇格大当たりまたは時短大当たりとなることを示しているか否かを特定した結果が、全て一致しているか、それとも一致しないものがあるかを判定する（ステップＳ４０２）。
【０２６２】
各マーカーについて当該変動表示で確率変動大当たり、確変昇格大当たりまたは時短大当たりとなることを示しているか否かを特定した結果が全て一致している場合には、制御部２０３は、受信した各マーカーについて、マーカーの種別を特定し、各マーカーについて特定した種別が、特定した結果が、全て一致しているか、それとも一致しないものがあるかを判定する（ステップＳ４０３）。
【０２６３】
ステップＳ４０２で各マーカーについて当該変動表示で確率変動大当たり、確変昇格大当たりまたは時短大当たりとなることを示しているか否かを特定した結果に一致しないものがあった場合、或いは、ステップＳ４０３で各マーカーについて特定した種別に一致しないものがあった場合には、制御部２０３は、通信インターフェイス２１５からネットワーク１５１を介して携帯電話機３００にエラー通知を送信し（ステップＳ４０４）、処理を終了する。
【０２６４】
ステップＳ４０３で各マーカーについて特定した種別が全て一致する場合には、制御部２０３は、通信インターフェイス２１５により受信してＨＤＤ２０７に記憶されているマーカーの数、及びマーカーが３個ある場合には各マーカーが撮影された順序（可変表示装置９に表示された順序通りか表示された順序と違うか）を判定する（ステップＳ４０５）。
【０２６５】
制御部２０３は、ステップＳ４０５で判定したマーカーの数及び各マーカーが撮影された順序、ステップＳ４０２で特定された当該変動表示で確率変動大当たり、確変昇格大当たりまたは時短大当たりとなることを示しているか否か、ステップＳ４０３で特定されたマーカーの種別に応じて図９（ａ）または（ｂ）の予告内容選択テーブルを参照し、予告内容の選択のために抽出された所定の乱数に従って、予告内容（確率変動大当たり、確変昇格大当たりまたは時短大当たりとなる信頼度が高い／中程度／低い）を選択する（ステップＳ４０６）。
【０２６６】
制御部２０３は、ステップＳ４０６で選択した予告内容（確率変動大当たり、確変昇格大当たりまたは時短大当たりとなる信頼度が高い／中程度／低い）に応じた信頼度通知を通信インターフェイス２１５からネットワーク１５１を介して携帯電話機３００に送信して（ステップＳ４０７）、処理を終了する。
【０２６７】
その後、携帯電話機３００では、ＣＰＵ３０１は、通信装置３０８にステップＳ４０４でサーバ装置２００から送信されたエラー通知、またはステップＳ４０７でサーバ装置２００から送信された信頼度通知を受信させる（ステップＳ３０４）。そして、ＣＰＵ３０１は、受信した通知の種類に基づいて、所定のエラー表示、または受信した信頼度の表示を表示装置３０６にて行わせる（ステップＳ３０５）。そして、処理を終了する。
【０２６８】
以上のように、このような携帯電話機３００とサーバ装置２００の協働により処理を行う場合でも、携帯電話機３００のアプリケーションプログラムにより処理を行う場合と同様の効果を得ることができる。また、遊技者毎の遊技システムの利用をサーバ装置２００で管理できるため、遊技システムの利用度に応じた従量課金も可能となる。さらに、携帯電話機３００の撮影装置３０７によって撮影されたマーカー４０１〜４０３が当該変動表示で確率変動大当たり、確変昇格大当たりまたは時短大当たりとなることを示しているか否かを特定する部分のプログラムが遊技者の手に渡ることがないので、これが不正利用されるのを防止することができる。
【符号の説明】
【０２６９】
１  パチンコ遊技機
９  可変表示装置
３１  主基板
５４  ＲＯＭ
５５  ＲＡＭ
５６  ＣＰＵ
８０  表示制御基板
２００  サーバ装置
２０１  サーバ本体
２０３  制御部
２０５  ＲＡＭ
２０７  ＨＤＤ
２１３  ＤＶＤ／ＣＤ−ＲＯＭドライブ
２１５  通信インターフェイス
２３１  記録媒体
３００  携帯電話機
３０１  ＣＰＵ
３０２  ＲＯＭ
３０３  ＲＡＭ
３０４  ＧＰＳ
３０５  入力装置
３０６  表示装置
３０７  撮影装置
３０８  通信装置
【図１】
0005804730.tif 000002
【図２】
0005804730.tif 000003
【図３】
0005804730.tif 000004
【図４】
0005804730.tif 000005
【図５】
0005804730.tif 000006
【図６】
0005804730.tif 000007
【図７】
0005804730.tif 000008
【図８】
0005804730.tif 000009
【図９】
0005804730.tif 000010
【図１０】
0005804730.tif 000011
【図１１】
0005804730.tif 000012
【図１２】
0005804730.tif 000013
【図１３】
0005804730.tif 000014
【図１４】
0005804730.tif 000015
【図１５】
0005804730.tif 000016